(57)【要約】光学装置は、第１面１２１Ａ及び第２面１２１Ｂを有する第１基板１２１、第１面１２２Ａ及び第２面１２２Ｂを有する第２基板１２２、第１基板１２１の第１面１２１Ａに配された偏向手段１４１，１４２、第１基板１２１の第１面１２１Ａの外縁部と第２基板１２２の第１面１２２Ａの外縁部を封止する封止部材１２４、並びに、第１基板１２１と第２基板１２２と封止部材１２４とによって囲まれた空間内に配置された吸湿部材１３０を備えている。
2017013971.tif 000002
【特許請求の範囲】
【請求項１】
第１面、及び、第１面と対向した第２面を有する第１基板、
第１面、及び、第１面と対向した第２面を有し、第１面が第１基板の第１面と対向して配設された第２基板、
第１基板の第１面に配された偏向手段、
第１基板の第１面の外縁部と第２基板の第１面の外縁部を封止する封止部材、並びに、
第１基板と第２基板と封止部材とによって囲まれた空間内に配置された吸湿部材、
を備えている光学装置。
【請求項２】
吸湿部材は、第２基板の第１面に配置されている請求項１に記載の光学装置。
【請求項３】
吸湿部材は、第１基板の第１面の偏向手段が配された領域以外の領域に配置されている請求項１に記載の光学装置。
【請求項４】
偏向手段は、吸水性を有する材料から成る請求項１に記載の光学装置。
【請求項５】
第２基板に面した偏向手段の面には保護膜が配されている請求項１に記載の光学装置。
【請求項６】
吸湿部材と保護膜とは同じ材料から成り、吸湿部材の厚さは保護膜の厚さよりも厚い請求項１に記載の光学装置。
【請求項７】
偏向手段は、第１偏向手段及び第２偏向手段から構成されており、
第１偏向手段は、第１基板に入射された光が第１基板の内部で全反射されるように、第１基板に入射された光を偏向させ、
第２偏向手段は、第１基板の内部を全反射により伝播した光を第１基板から出射させるために、第１基板の内部を全反射により伝播した光を偏向させる請求項１に記載の光学装置。
【請求項８】
吸湿部材は、第２基板の第１面に配置されている請求項７に記載の光学装置。
【請求項９】
吸湿部材は、第１基板の第１面の第１偏向手段及び第２偏向手段が配された領域以外の領域に配置されている請求項７に記載の光学装置。
【請求項１０】
第１偏向手段を覆うように、第２基板の第２面の外側に遮光部材が配置されている請求項７に記載の光学装置。
【請求項１１】
第２基板への遮光部材の正射影像内の領域であって、第２基板の第１面の領域、又は、第１基板の第１面の第１偏向手段が配された領域以外の領域、又は、第２基板の第１面の領域及び第１基板の第１面の第１偏向手段が配された領域以外の領域に、吸湿部材が配置されている請求項７に記載の光学装置。
【請求項１２】
第１偏向手段及び第２偏向手段の少なくとも一方は、吸水性を有する材料から成る請求項７に記載の光学装置。
【請求項１３】
第１偏向手段は、樹脂材料から成るホログラム回折格子膜から構成されており、
第２偏向手段は、樹脂材料から成るホログラム回折格子膜から構成されている請求項１２に記載の光学装置。
【請求項１４】
第２基板に面した第１偏向手段の面及び第２偏向手段の面には保護膜が配されている請求項７に記載の光学装置。
【請求項１５】
吸湿部材と保護膜とは同じ材料から成り、吸湿部材の厚さは保護膜の厚さよりも厚い請求項７に記載の光学装置。
【請求項１６】
吸湿部材の吸水率は、偏向手段を構成する材料の吸水率よりも高い請求項１に記載の光学装置。
【請求項１７】
吸湿部材は、ポリビニルアルコールから成る請求項１に記載の光学装置。
【請求項１８】
吸湿部材は、ナノポーラスシリカ、モレキュラシーブ、ゼオライト、活性炭、活性アルミナ、珪藻土、モンモリロナイト及びベントナイトから構成された群から選択された少なくとも１種類の材料から成る請求項１に記載の光学装置。
【請求項１９】
（Ａ）画像形成装置、及び、
（Ｂ）画像形成装置から出射された光が入射され、出射される光学装置、
を備えた画像表示装置であって、
光学装置は、
第１面、及び、第１面と対向した第２面を有する第１基板、
第１面、及び、第１面と対向した第２面を有し、第１面が第１基板の第１面と対向して配設された第２基板、
第１基板の第１面に配された偏向手段、
第１基板の第１面の外縁部と第２基板の第１面の外縁部を封止する封止部材、並びに、
第１基板と第２基板と封止部材とによって囲まれた空間内に配置された吸湿部材、
を備えている画像表示装置。
【請求項２０】
（イ）観察者の頭部に装着されるフレーム、及び、
（ロ）フレームに取り付けられた画像表示装置、
を備えた表示装置であって、
画像表示装置は、
（Ａ）画像形成装置、及び、
（Ｂ）画像形成装置から出射された光が入射され、出射される光学装置、
を備えており、
光学装置は、
第１面、及び、第１面と対向した第２面を有する第１基板、
第１面、及び、第１面と対向した第２面を有し、第１面が第１基板の第１面と対向して配設された第２基板、
第１基板の第１面に配された偏向手段、
第１基板の第１面の外縁部と第２基板の第１面の外縁部を封止する封止部材、並びに、
第１基板と第２基板と封止部材とによって囲まれた空間内に配置された吸湿部材、
を備えている表示装置。
【発明の詳細な説明】
【技術分野】
【０００１】
本開示は、光学装置、及び、係る光学装置を備えた画像表示装置に関する。更には、本開示は、係る画像表示装置を備えた表示装置に関し、より具体的には、頭部装着型ディスプレイ（ＨＭＤ，Head Mounted Display）に用いられる表示装置に関する。
【背景技術】
【０００２】
近年、現実の環境（あるいはその一部）に付加情報としてバーチャルな物体や各種情報を電子情報として合成・提示する拡張現実技術（ＡＲ技術：Augmented Reality）が、注目を浴びている。この拡張現実技術を実現するために、視覚情報を提示する装置として、例えば、頭部装着型ディスプレイが検討されている。そして、応用分野として、現実の環境における作業支援が期待されており、例えば、道路案内情報の提供、メンテナンス等を行う技術者に対する技術情報提供等を挙げることができる。特に、頭部装着型ディスプレイは、手がふさがられることがないため、非常に便利である。また、屋外を移動しながら各種情報等を得る場合にも、視界に映像あるいは画像から構成された各種情報等と外部環境とを同時に捉えることができるため、スムーズな移動が可能となる。【０００３】
画像形成装置によって形成された２次元画像を虚像光学系により拡大虚像として観察者に観察させるために、ホログラム回折格子から成る偏向手段を用いた虚像表示装置（表示装置）が、例えば、特開２００７−０９４１７５から周知である。【０００４】
概念図を図３１に示すように、この画像表示装置１００’は、基本的には、画像を表示する画像形成装置１１１と、コリメート光学系１１２と、画像形成装置１１１に表示された光が入射され、観察者の瞳２１へと導く光学装置１２０とを備えている。ここで、光学装置１２０は、導光板（第１基板）１２１と、導光板１２１に設けられた偏向手段を備えている。偏向手段は、具体的には、反射型の体積ホログラム回折格子膜から成る第１回折格子部材１４１及び第２回折格子部材１４２から構成されている。そして、コリメート光学系１１２には画像形成装置１１１の各画素から出射された光が入射され、コリメート光学系１１２によって導光板１２１へ入射する角度の異なる複数の平行光が生成され、導光板１２１に入射される。導光板１２１の第２面１２１Ｂから、平行光が入射され、出射される。一方、導光板１２１の第２面１２１Ｂと平行である導光板１２１の第１面１２１Ａに、第１回折格子部材１４１及び第２回折格子部材１４２が取り付けられている。尚、図３１におけるその他の構成要素を示す参照番号に関しては、図１を参照して説明する実施例１の画像表示装置を参照のこと。そして、この画像表示装置１００’において画像に基づく虚像を形成することで、観察者は、外界の像と形成された虚像とを重畳して見ることができる。【０００５】
ところで、表示装置を頭部装着型ディスプレイに用いる場合、軽量化が非常に重要な要素となる。そこで、上記の特許公開公報に記載されたように、屡々、偏向手段を、フォトポリマー材料から成るホログラム回折格子膜から構成している。
【先行技術文献】
【特許文献】
【０００６】
【特許文献１】特開２００７−０９４１７５
【特許文献２】特開２００２−１０７６５８
【発明の概要】
【発明が解決しようとする課題】
【０００７】
しかしながら、偏向手段をフォトポリマー材料から構成した場合、フォトポリマー材料の吸湿に起因して偏向手段に膨潤等が生じ、その結果、偏向手段の特性の変化、例えば、干渉縞のピッチ、干渉縞の傾斜角（スラント角）に変化が生じる。具体的には、例えば、所望の再生中心波長（回折中心波長）とそのバンド幅が設計値から変わってしまう。偏向手段の光学特性に対する水分の影響は、無視できない程度に大きい。箱体と透明カバーとによって形成された空間に偏向手段を格納する技術が、例えば、特開２００２−１０７６５８から周知である。しかしながら、このような空間に偏向手段を格納しても、偏向手段の光学特性に対する水分の影響を充分に抑制することは困難である。【０００８】
従って、本開示の目的は、偏向手段の光学特性に対する水分の影響を充分に抑制することができる構成、構造を有する光学装置、係る光学装置を備えた画像表示装置、及び、係る画像表示装置を備えた表示装置を提供することにある。
【課題を解決するための手段】
【０００９】
上記の目的を達成するための本開示の光学装置は、
第１面、及び、第１面と対向した第２面を有する第１基板、
第１面、及び、第１面と対向した第２面を有し、第１面が第１基板の第１面と対向して配設された第２基板、
第１基板の第１面に配された偏向手段、
第１基板の第１面の外縁部と第２基板の第１面の外縁部を封止する封止部材、並びに、
第１基板と第２基板と封止部材とによって囲まれた空間内に配置された吸湿部材、
を備えている。【００１０】
上記の目的を達成するための本開示の画像表示装置は、
（Ａ）画像形成装置、及び、
（Ｂ）画像形成装置から出射された光が入射され、出射される光学装置、
を備えた画像表示装置であって、
光学装置は、上記の本開示の光学装置から成る。【００１１】
上記の目的を達成するための本開示の表示装置は、
（イ）観察者の頭部に装着されるフレーム、及び、
（ロ）フレームに取り付けられた画像表示装置、
を備えた表示装置であって、
画像表示装置は、
（Ａ）画像形成装置、及び、
（Ｂ）画像形成装置から出射された光が入射され、出射される光学装置、
を備えており、
光学装置は、上記の本開示の光学装置から成る。
【発明の効果】
【００１２】
本開示の光学装置、本開示の画像表示装置を構成する光学装置、本開示の表示装置を構成する光学装置（以下、これらの光学装置を総称して、『本開示の光学装置等』と呼ぶ）においては、第１基板と第２基板と封止部材とによって囲まれた空間内に吸湿部材が配置されている。それ故、本開示の光学装置等にあっては、偏向手段の光学特性に対する水分の影響を充分に抑制することができる。尚、本明細書に記載された効果はあくまで例示であって限定されるものでは無く、また、付加的な効果があってもよい。
【図面の簡単な説明】
【００１３】
【図１】図１は、実施例１の表示装置における画像表示装置の概念図である。
【図２】図２の（Ａ）及び（Ｂ）は、実施例１の表示装置における光学装置の変形例の概念図である。
【図３】図３の（Ａ）及び（Ｂ）は、実施例１の表示装置における光学装置の別の変形例の概念図である。
【図４】図４は、実施例１の表示装置における画像表示装置の更に別の変形例の概念図である。
【図５】図５は、実施例１の表示装置を上方から眺めた模式図である。
【図６】図６Ａ及び図６Ｂは、それぞれ、実施例１の表示装置を側方から眺めた模式図、及び、画像表示装置を構成する第１基板における光の伝播状態を模式的に示す図である。
【図７】図７は、実施例１の表示装置における反射型の体積ホログラム回折格子膜の一部を拡大して示す模式的な断面図である。
【図８】図８は、実施例２の表示装置における画像表示装置の概念図である。
【図９】図９は、実施例３の表示装置における画像表示装置の概念図である。
【図１０】図１０は、実施例４の表示装置における画像表示装置の概念図である。
【図１１】図１１は、実施例５の表示装置を正面から眺めた模式図である。
【図１２】図１２は、実施例５の表示装置を上方から眺めた模式図である。
【図１３】図１３は、実施例５の表示装置における画像表示装置の概念図である。
【図１４】図１４は、実施例６の表示装置を上方から眺めた模式図である。
【図１５】図１５は、実施例６の表示装置における光学装置の一部分の概念図である。
【図１６】図１６は、実施例７の表示装置における画像表示装置の概念図である。
【図１７】図１７は、実施例７の表示装置を上方から眺めた模式図である。
【図１８】図１８は、実施例７の表示装置を側方から眺めた模式図である。
【図１９】図１９は、実施例７の表示装置における画像表示装置の変形例の概念図である。
【図２０】図２０は、実施例８の表示装置における画像表示装置の概念図である。
【図２１】図２１は、実施例８の表示装置を上方から眺めた模式図である。
【図２２】図２２Ａ及び図２２Ｂは、それぞれ、実施例８の表示装置を側方から眺めた模式図、及び、実施例８の表示装置における光学装置及び調光装置の部分を正面から眺めた模式図である。
【図２３】図２３Ａ及び図２３Ｂは、実施例８の表示装置における調光装置の模式的な断面図、及び、調光装置の模式的な正面図である。
【図２４】図２４は、観察者が眺める外界を示す図である。
【図２５】図２５Ａ及び図２５Ｂは、調光装置への虚像の投影像が含まれる調光装置の虚像投影領域の遮光率が、調光装置の他の領域の遮光率よりも高くなるように、調光装置が制御される状態を示す図である。
【図２６】図２６Ａ、図２６Ｂ及び図２６Ｃは、調光装置の虚像投影領域の変化等を模式的に示す図である。
【図２７】図２７は、光学装置に形成される虚像に外接する仮想矩形と、調光装置の虚像投影領域の矩形形状とを、模式的に示す図である。
【図２８】図２８Ａ及び図２８Ｂは、それぞれ、実施例９の表示装置を上方から眺めた模式図、及び、環境照度測定センサを制御する回路の模式図である。
【図２９】図２９Ａ及び図２９Ｂは、それぞれ、実施例１０の表示装置を上方から眺めた模式図、及び、透過光照度測定センサを制御する回路の模式図である。
【図３０】図３０は、実施例１３の表示装置における画像表示装置の概念図である。
【図３１】図３１は、従来の表示装置における画像表示装置の概念図である。
【発明を実施するための形態】
【００１４】
以下、図面を参照して、実施例に基づき本開示を説明するが、本開示は実施例に限定されるものではなく、実施例における種々の数値や材料は例示である。尚、説明は、以下の順序で行う。
１．本開示の光学装置、画像表示装置及び表示装置、全般に関する説明
２．実施例１（本開示の光学装置、画像表示装置及び表示装置）
３．実施例２（実施例１の変形）
４．実施例３（実施例１の別の変形）
５．実施例４（実施例３の変形）
６．実施例５（実施例１〜実施例４の変形）
７．実施例６（実施例１〜実施例４の別の変形）
８．実施例７（実施例１〜実施例６の変形）
９．実施例８（実施例１〜実施例７の変形）
１０．実施例９（実施例８の変形）
１１．実施例１０（実施例８〜実施例９の変形）
１２．実施例１１（実施例８〜実施例１０の変形）
１３．実施例１２（実施例１１の変形）
１４．実施例１３（実施例１〜実施例１２の変形）
１５．その他
【００１５】
〈本開示の光学装置、画像表示装置及び表示装置、全般に関する説明〉
本開示の光学装置等において、吸湿部材は、第２基板の第１面に配置されている形態とすることができる。そして、この場合、吸湿部材は、第２基板の第１面の全面に貼り合わされている形態とすることができる。
【００１６】
上記の好ましい形態を含む本開示の光学装置等において、吸湿部材は、第１基板の第１面の偏向手段が配された領域以外の領域に配置されている形態とすることができる。即ち、吸湿部材は、偏向手段を取り囲むように、額縁状に配置されている形態とすることができる。吸湿部材と偏向手段との間には、１μｍ以上、隙間が空いていることが望ましい。
【００１７】
あるいは又、本開示の光学装置等において、吸湿部材は、
第２基板の第１面の封止部材の内側に沿った領域、又は、
第１基板の第１面の封止部材の内側に沿った領域、又は、
第２基板の第１面の封止部材の内側に沿った領域、及び、第１基板の第１面の封止部材の内側に沿った領域、
に配置されている形態とすることができる。吸湿部材と封止部材との間には、１μｍ以上、隙間が空いていることが望ましい。
【００１８】
あるいは又、本開示の光学装置等においては、偏向手段を覆うように、第２基板の第２面の外側に遮光部材が配置されている構成とすることができる。そして、この場合、第２基板への偏向手段の正射影像は、第２基板への遮光部材の正射影像に含まれる構成とすることができるし、これらの場合、第２基板への遮光部材の正射影像内の領域であって、
第２基板の第１面の領域、又は、
第１基板の第１面の偏向手段が配された領域以外の領域、又は、
第２基板の第１面の領域、及び、第１基板の第１面の偏向手段が配された領域以外の領域、
に吸湿部材が配置されている構成とすることができる。吸湿部材と第１偏向手段との間には、１μｍ以上、隙間が空いていることが望ましい。
【００１９】
以上に説明した各種の好ましい形態、構成を含む本開示の光学装置等において、偏向手段は、吸水性を有する材料から成る構成とすることができる。具体的には、偏向手段は、樹脂材料から成るホログラム回折格子膜から構成されていることが好ましい。そして、これらの場合、第２基板に面した偏向手段の面には保護膜が配されている構成とすることができ、更には、吸湿部材と保護膜とは同じ材料から成る構成とすることができ、更には、この場合、吸湿部材の厚さｔ1は保護膜の厚さｔ2よりも厚い構成とすることができる。具体的には、
ｔ2≦１０μｍ
ｔ2＜ｔ1≦１ｍｍ
好ましくは、
１×１０-7ｍ≦ｔ1≦３×１０-4ｍ
より好ましくは、
１×１０-6ｍ≦ｔ1≦１×１０-4ｍ
更に好ましくは、
１×１０-6ｍ≦ｔ1≦１×１０-5ｍ
を満足することが好ましい。保護膜で覆うことによって、偏向手段に損傷が生じることを防止することができる。
【００２０】
あるいは又、本開示の光学装置等において、
偏向手段は、第１偏向手段及び第２偏向手段から構成されており、
第１偏向手段は、第１基板に入射された光が第１基板の内部で全反射されるように、第１基板に入射された光を偏向させ、
第２偏向手段は、第１基板の内部を全反射により伝播した光を第１基板から出射させるために、第１基板の内部を全反射により伝播した光を偏向させる形態とすることができる。尚、このような形態の本開示の光学装置等を、便宜上、『本開示の光学装置−Ａ』と呼ぶ。
【００２１】
本開示の光学装置−Ａにおいて、第１基板は導光板として機能する。即ち、画像形成装置から入射された光は、第１基板（導光板）内部を全反射により伝播した後、観察者に向けて出射される。また、第２偏向手段によって光学装置の虚像形成領域が構成される。尚、「全反射」という用語は、内部全反射、あるいは、第１基板（導光板）内部における全反射を意味する。
【００２２】
本開示の光学装置−Ａにおいて、吸湿部材は、第２基板の第１面に配置されている形態とすることができる。そして、この場合、吸湿部材は、第２基板の第１面の全面に貼り合わされている形態とすることができる。
【００２３】
このような形態を含む本開示の光学装置−Ａにおいて、吸湿部材は、第１基板の第１面の第１偏向手段及び第２偏向手段が配された領域以外の領域に配置されている形態とすることができる。更には、吸湿部材は、第１偏向手段から第２偏向手段へと光が導光される第１基板の領域（第１基板の導光領域）以外の領域に配置されていることが好ましい。即ち、吸湿部材は、第１偏向手段、第２偏向手段及び第１基板の導光領域を取り囲むように、額縁状に配置されている形態とすることができる。吸湿部材と偏向手段との間には、１μｍ以上、隙間が空いていることが望ましい。
【００２４】
あるいは又、本開示の光学装置−Ａにおいて、吸湿部材は、
第２基板の第１面の封止部材の内側に沿った領域、又は、
第１基板の第１面の封止部材の内側に沿った領域、又は、
第２基板の第１面の封止部材の内側に沿った領域、及び、第１基板の第１面の封止部材の内側に沿った領域、
に配置されている形態とすることができる。吸湿部材と封止部材との間には、１μｍ以上、隙間が空いていることが望ましい。
【００２５】
あるいは又、本開示の光学装置−Ａにおいて、第１偏向手段を覆うように、第２基板の第２面の外側に遮光部材が配置されている構成とすることができる。そして、この場合、第２基板への第１偏向手段の正射影像は、第２基板への遮光部材の正射影像に含まれる構成とすることができる。更には、これらの場合、
第２基板への遮光部材の正射影像内の領域であって、
第２基板の第１面の領域、又は、
第１基板の第１面の第１偏向手段が配された領域以外の領域、又は、
第２基板の第１面の領域、及び、第１基板の第１面の第１偏向手段が配された領域以外の領域、
に吸湿部材が配置されている構成とすることができる。吸湿部材と第１偏向手段との間には、１μｍ以上、隙間が空いていることが望ましい。
【００２６】
また、本開示の表示装置において、画像形成装置から出射された光が入射される光学装置の領域には、光学装置への外光の入射を遮光する遮光部材が配置されている構成とすることができる。画像形成装置から出射された光が入射される光学装置の領域に、光学装置への外光の入射を遮光する遮光部材を配置することで、画像形成装置から出射された光が入射される光学装置の領域には外光が入射しないので、不所望の迷光等が発生し、表示装置における画像表示品質が低下するといったことが無い。尚、遮光部材の光学装置への正射影像内に、画像形成装置から出射された光が入射される光学装置の領域が含まれる形態とすることが好ましい。
【００２７】
具体的には、遮光部材は、光学装置の画像形成装置が配された側とは反対側に、光学装置と離間して配されている構成とすることができる。このような構成の表示装置あるいは本開示の光学装置−Ａにあっては、遮光部材を、例えば、不透明なプラスチック材料から作製すればよい。そして、このような遮光部材は、画像表示装置の筐体から一体に延び、あるいは又、画像表示装置の筐体に取り付けられ、あるいは又、フレームから一体に延び、あるいは又、フレームに取り付けられている形態とすることができる。あるいは又、遮光部材は、光学装置に取り付けられ、あるいは又、画像形成装置が配された側とは反対側の光学装置の部分に取り付けられ、あるいは又、配されている構成とすることができるし、遮光部材は、後述する調光装置に配されている構成とすることもできる。尚、不透明な材料から成る遮光部材を、例えば、光学装置の面上に物理的気相成長法（ＰＶＤ法）や化学的気相成長法（ＣＶＤ法）に基づき形成してもよいし、印刷法等によって形成してもよいし、不透明な材料（プラスチック材料や金属材料、合金材料等）から成るフィルムやシート、箔を貼り合わせてもよい。遮光部材の光学装置への正射影像内に、後述する調光装置の端部の光学装置への正射影像が含まれる構成とすることが好ましい。
【００２８】
更には、以上に説明した各種の好ましい形態、構成を含む本開示の光学装置−Ａにおいて、第１偏向手段及び第２偏向手段の少なくとも一方は、吸水性を有する材料から成る構成とすることができる。具体的には、例えば、第１偏向手段は、樹脂材料から成るホログラム回折格子膜から構成されており、第２偏向手段は、樹脂材料から成るホログラム回折格子膜から構成されていることが好ましい。そして、これらの場合、第２基板に面した第１偏向手段の面及び第２偏向手段の面には保護膜が配されている構成とすることができ、更には、吸湿部材と保護膜とは同じ材料から成る構成とすることができ、更には、この場合、吸湿部材の厚さｔ1は保護膜の厚さｔ2よりも厚い構成とすることができる。具体的には、
ｔ2≦１０μｍ
ｔ2＜ｔ1≦１ｍｍ
好ましくは、
１×１０-7ｍ≦ｔ1≦３×１０-4ｍ
より好ましくは、
１×１０-6ｍ≦ｔ1≦１×１０-4ｍ
更に好ましくは、
１×１０-6ｍ≦ｔ1≦１×１０-5ｍ
を満足することが好ましい。保護膜で覆うことによって、偏向手段に損傷が生じることを防止することができる。
【００２９】
第１偏向手段がホログラム回折格子膜から構成されている場合、第１偏向手段は、第１基板（導光板）に入射された光を回折反射し、第２偏向手段は、第１基板の内部を全反射により伝播した光を、複数回に亙り、回折反射する。ホログラム回折格子膜は、反射型のホログラム回折格子膜から成る構成とすることができるし、あるいは又、透過型のホログラム回折格子膜から成る構成とすることができるし、あるいは又、一方のホログラム回折格子膜は反射型のホログラム回折格子膜から成り、他方のホログラム回折格子膜は透過型のホログラム回折格子膜から成る構成とすることができる。尚、反射型のホログラム回折格子膜として、反射型の体積ホログラム回折格子膜を挙げることができる。反射型の体積ホログラム回折格子膜から成る第１偏向手段を、便宜上、『第１回折格子部材』と呼び、反射型の体積ホログラム回折格子膜から成る第２偏向手段を、便宜上、『第２回折格子部材』と呼ぶ場合がある。
【００３０】
あるいは又、第１偏向手段が第１基板（導光板）に入射された光の全てを反射する場合、第１偏向手段は、例えば、合金を含む金属から構成され、第１基板に入射された光を反射させる光反射膜（一種のミラー）から構成することができる。また、第１偏向手段が第１基板に入射された光の一部を反射する場合、第１偏向手段は、例えば、誘電体積層膜が多数積層された多層積層構造体、ハーフミラー、偏光ビームスプリッター、回折格子（例えば、ホログラム回折格子膜）から構成することができる。一方、第２偏向手段においては、第１基板の内部を全反射により伝播した平行光が複数回に亙り反射又は回折され、第１基板から平行光の状態で出射される。第２偏向手段は、誘電体積層膜が多数積層された多層積層構造体や、ハーフミラー、偏光ビームスプリッター、ホログラム回折格子膜から構成することができる。但し、これらの場合においても、第１偏向手段及び第２偏向手段の少なくとも一方は、吸水性を有する材料から成る。また、場合によっては、第１偏向手段及び第２偏向手段の一方は、第１基板の内部に配設されてもよい。
【００３１】
更には、以上に説明した各種の好ましい構成、形態、本開示の光学装置−Ａを含む本開示の光学装置等において、吸湿部材の吸水率は、偏向手段を構成する材料の吸水率よりも高い形態とすることができる。但し、これに限定するものではない。吸水率は、例えば、ＪＩＳ  Ｋ  ７２０９：２０００「プラスチック−吸水率の求め方」に基づき、測定することができる。あるいは又、吸湿部材は、ポリビニルアルコール（ＰＶＡ）から成る形態とすることができる。ＰＶＡは、残留有機溶剤の揮発が無く、後述するフォトポリマー材料へのダメージが少なく、高い透明度を有する好ましい材料である。あるいは又、吸湿部材は、ナノポーラスシリカ、モレキュラシーブ、ゼオライト、活性炭、活性アルミナ、珪藻土、モンモリロナイト及びベントナイトから構成された群から選択された少なくとも１種類の材料から成る形態とすることができるが、吸湿性がある限り、無機材料、有機材料を問わない。物理的吸湿剤は、例えば、ナノサイズ（通常、０．１ｎｍ乃至１０ｎｍ）の微細な細孔が存在するハニカム構造であり、この細孔が水分子をトラップして吸湿作用を示す。細孔の径は、例えば、鋳型となる界面活性剤の分子構造を変更する等の方法により、適宜、調節することができ、その結果、吸湿性も適宜調節することができる。特に好ましい物理的吸湿剤として、ナノポーラスシリカ、モレキュラシーブ及びゼオライトを挙げることができる。あるいは又、吸湿部材は、光透過率が５０％以上の樹脂製フィルムから成る形態とすることができる。樹脂製フィルムを構成する材料として、具体的には、エチレン、ポリプロピレン、ブテン等の単独重合体又は共重合体等のポリオレフィン系樹脂（ＰＯ）、シクロペンタジエン及びその誘導体、ジシクロペンタジエン及びその誘導体、ノルボルナジエン及びその誘導体等の環状ポリオレフィンといった非晶質ポリオレフィン樹脂（ＣＯＰ）又は共重合体樹脂（ＣＯＣ）、ポリエチレンテレフタレート（ＰＥＴ）やポリエチレン２，６−ナフタレート（ＰＥＮ）等のポリエステル系樹脂、ナイロン６、ナイロン１２、共重合ナイロン等のポリアミド系樹脂、エチレン・ビニルアルコール共重合樹脂（ＥＶＯＨ）、ポリイミド樹脂（ＰＩ）、ポリエーテルイミド樹脂（ＰＥＩ）、ポリサルホン樹脂（ＰＳ）、ポリエーテルサルホン樹脂（ＰＥＳ）、ポリエーテルエーテルケトン樹脂（ＰＥＥＫ）、ポリカーボネート樹脂（ＰＣ）、ポリビニルブチラート樹脂（ＰＶＢ）、ポリアリレート樹脂（ＰＡＲ）、ポリテトラフルオロエチレン樹脂（ＰＴＦＥ）、エチレン（プロピレン）−四フッ化エチレン共重合体樹脂（ＥＴＦＥ）、三フッ化塩化エチレン樹脂（ＰＦＡ）、四フッ化エチレン−パーフルオロアルキルビニルエーテル共重合体樹脂（ＦＥＰ）、フッ化ビニリデン樹脂（ＰＶＤＦ）、フッ化ビニル樹脂（ＰＶＦ）、パーフルオロエチレン−パーフロロプロピレン−パーフロロビニルエーテル−共重合体樹脂（ＥＰＡ）、四フッ化エチレン−ペルフルオロアルキルビニルエーテル−六フッ化プロピレン共重合体樹脂（ＥＰＥ）、ポリクロロ三フッ化エチレン樹脂（ＰＣＴＦＥ）、エチレン−クロロ三フッ化エチレン共重合体樹脂（ＥＣＴＦＥ）、ポリ塩化ビニル樹脂（ＰＶＣ）、ポリ塩��ビニリデン樹脂（ＰＶＤＣ）等を挙げることができる。
【００３２】
更には、以上に説明した各種の好ましい構成、形態、本開示の光学装置−Ａを含む本開示の光学装置等において、第１基板及び第２基板は、透明基板から成る形態とすることができる。
【００３３】
第１基板（導光板）は、第１基板の軸線（長手方向、水平方向であり、Ｘ軸方向に該当する）と平行に延びる２つの平行面（第１面及び第２面）を有している。尚、第１基板の幅方向（高さ方向、垂直方向）はＹ軸方向に該当する。光が入射する第１基板の面を第１基板入射面、光が出射する第１基板の面を第１基板出射面としたとき、第２面によって第１基板入射面及び第１基板出射面が構成されていてもよいし、第１面によって第１基板入射面が構成され、第２面によって第１基板出射面が構成されていてもよい。ホログラム回折格子膜の干渉縞は、概ねＹ軸方向と平行に延びる。第１基板や第２基板を構成する材料として、石英ガラスやＢＫ７等の光学ガラス、ソーダライムガラス、白板ガラスを含むガラスや、プラスチック材料（例えば、ポリカーボネート樹脂、ポリカーボネート樹脂とアクリル系樹脂の積層構造、シクロオレフィンポリマー、非晶性のポリプロピレン系樹脂、ＡＳ樹脂を含むスチレン系樹脂）を挙げることができる。第１基板及び第２基板の形状は、平板に限定するものではなく、湾曲した形状を有していてもよい。
【００３４】
更には、以上に説明した各種の好ましい構成、形態、本開示の光学装置−Ａを含む本開示の光学装置等において、第２基板の第２面側に調光装置が配されている形態とすることができる。
【００３５】
調光装置は、例えば、
調光装置用第１基板、
調光装置用第１基板と対向する調光装置用第２基板、
調光装置用第２基板と対向する調光装置用第１基板の対向面に設けられた第１透明電極、
調光装置用第１基板と対向する調光装置用第２基板の対向面に設けられた第２透明電極、及び、
第１透明電極と第２透明電極とによって挟まれた調光層、
から成る形態とすることができる。そして、この場合、例えば、
第１透明電極は、第１の方向に延びる複数の帯状の第１透明電極セグメントから構成されており、
第２透明電極は、第１の方向とは異なる第２の方向に延びる複数の帯状の第２透明電極セグメントから構成されており、
第１透明電極セグメントと第２透明電極セグメントの重複領域（調光装置の遮光率が変化する最小単位領域）に対応する調光装置の部分の遮光率の制御は、第１透明電極セグメント及び第２透明電極セグメントに印加する電圧の制御に基づき行われる形態とすることができる。即ち、遮光率の制御を単純マトリクス方式に基づき行うことができる。第１の方向と第２の方向とは直交している形態を例示することができる。
【００３６】
あるいは又、調光装置の遮光率が変化する最小単位領域の遮光率の制御のために、最小単位領域のそれぞれに薄膜トランジスタ（ＴＦＴ）を設けてもよい。即ち、遮光率の制御をアクティブマトリクス方式に基づき行ってもよい。あるいは又、第１透明電極及び第２透明電極の少なくとも一方を所謂ベタ電極（パターニングされていない電極）とすることもできる。
【００３７】
第２基板は調光装置用第１基板を兼ねている構成とすることができ、このような構成とすることで、表示装置全体の重量の減少を図ることができ、表示装置の使用者に不快感を感じさせる虞が無い。調光装置用第２基板は調光装置用第１基板よりも薄い構成とすることができる。調光装置を備えた表示装置にあっては、画像形成装置において画像を表示するための信号に基づき、調光装置の実際に調光する領域の大きさ及び位置を決定する。調光装置の大きさは、光学装置と同じ大きさでもよいし、大きくてもよいし、小さくともよい。要は、調光装置の正射影像内に第２偏向手段（虚像形成領域）が位置していればよい。
【００３８】
調光装置の最高光透過率は５０％以上であり、調光装置の最低光透過率は３０％以下である構成とすることができる。尚、調光装置の最高光透過率の上限値として９９％を挙げることができるし、調光装置の最低光透過率の下限値として１％を挙げることができる。ここで、
（光透過率）＝１−（遮光率）
の関係にある。
【００３９】
場合によっては、調光装置を通過する光は、調光装置によって所望の色に着色される構成とすることができる。そして、この場合、調光装置によって着色される色は可変である形態とすることができるし、あるいは又、調光装置によって着色される色は固定である形態とすることができる。尚、前者の場合、例えば、赤色に着色される調光装置と、緑色に着色される調光装置と、青色に着色される調光装置とを積層する形態とすればよい。また、後者の場合、調光装置によって着色される色として、限定するものではないが、茶色を例示することができる。
【００４０】
更には、場合によっては、調光装置が着脱自在に配設されている形態とすることができる。調光装置を着脱自在に配設するためには、例えば、透明なプラスチックから作製されたビスを用いて調光装置を例えばフレームに取り付け、あるいは又、フレームに溝を切っておき、この溝に調光装置を係合させ、あるいは又、フレームに磁石を取り付けることで調光装置をフレームに取り付けることができるし、フレームにスライド部を設け、このスライド部に調光装置を嵌め込んでもよい。また、調光装置にコネクタを取り付け、調光装置の遮光率（光透過率）を制御するための制御回路（例えば、画像形成装置を制御するための制御装置に含まれている）にこのコネクタ及び配線を介して調光装置を電気的に接続すればよい。調光装置を湾曲させてもよい。
【００４１】
調光装置を備えた本開示の表示装置において、表示装置の置かれた環境の照度を測定する環境照度測定センサを更に備えており、環境照度測定センサの測定結果に基づき、調光装置の遮光率を制御する形態とすることができる。あるいは又、表示装置の置かれた環境の照度を測定する環境照度測定センサを更に備えており、環境照度測定センサの測定結果に基づき、画像形成装置によって形成される画像の輝度を制御する形態とすることができる。これらの形態を組み合わせてもよい。
【００４２】
あるいは又、調光装置を備えた本開示の表示装置において、外部環境から調光装置を透過した光に基づく照度を測定する透過光照度測定センサを更に備えており、透過光照度測定センサの測定結果に基づき、調光装置の遮光率を制御する形態とすることができる。あるいは又、外部環境から調光装置を透過した光に基づく照度を測定する透過光照度測定センサを更に備えており、透過光照度測定センサの測定結果に基づき、画像形成装置によって形成される画像の輝度を制御する形態とすることができる。尚、透過光照度測定センサは、光学装置よりも観察者側に配置されている形態とすることが望ましい。透過光照度測定センサを、少なくとも２つ、配置し、高遮光率の部分を通過した光に基づく照度の測定、低遮光率の部分を通過した光に基づく照度の測定を行ってもよい。これらの形態を組み合わせてもよい。更には、これらの形態と、上記の環境照度測定センサの測定結果に基づき制御を行う形態とを組み合わせてもよい。
【００４３】
環境照度測定センサ、透過光照度測定センサは、周知の照度センサから構成すればよいし、環境照度測定センサ、透過光照度測定センサの制御は周知の制御回路に基づき行えばよい。
【００４４】
光学装置は半透過型（シースルー型）である。具体的には、少なくとも観察者の眼球（瞳）に対向する光学装置の部分を半透過（シースルー）とし、光学装置のこの部分（及び、調光装置が配されている場合には、更に、調光装置）を通して外景を眺めることができる。本開示の表示装置は、画像表示装置を１つ備えていてもよいし（片眼型）、２つ備えていてもよい（両眼型）。調光装置が配されている場合、両眼型にあっては、画像を表示するための信号に基づき、両方の画像表示装置において調光装置の一部の領域の光透過率を変化させてもよいし、一方の画像表示装置において調光装置の一部の領域の光透過率を変化させてもよい。
【００４５】
本明細書において、「半透過」という用語を用いる場合があるが、入射する光の１／２（５０％）を透過し、あるいは反射することを意味するのではなく、入射する光の一部を透過し、残部を反射するといった意味で用いている。
【００４６】
第１基板の第１面と第２基板の第１面とは、外縁部において封止部材によって封止され、接着されている。シール剤とも呼ばれる封止部材として、エポキシ樹脂、ウレタン系樹脂、アクリル系樹脂、酢酸ビニル系樹脂、エン−チオール系樹脂、シリコーン系樹脂、変性ポリマー樹脂等の、熱硬化型、光硬化型、湿気硬化型、嫌気硬化型等の各種樹脂を用いることができる。
【００４７】
本開示における画像表示装置によって、単色（例えば、緑色）の画像表示を行うことができる。そして、この場合、例えば、画角を例えば二分割（より具体的には、例えば二等分割）して、第１偏向手段は、二分割された画角群のそれぞれに対応する２枚のホログラム回折格子膜が積層されて成る構成とすることができる。あるいは又、第１基板の第１面及び第２面のそれぞれに第１偏向手段を配してもよい。また、カラーの画像表示を行う場合、第１回折格子部材あるいは第２回折格子部材を、異なるＰ種類（例えば、Ｐ＝３であり、赤色、緑色、青色の３種類）の波長帯域（あるいは、波長）を有するＰ種類の光の回折反射に対応させるために、Ｐ層の反射型の体積ホログラム回折格子膜が積層されて成る構成とすることができる。各ホログラム回折格子膜には１種類の波長帯域（あるいは、波長）に対応する干渉縞が形成されている。あるいは又、異なるＰ種類の波長帯域（あるいは、波長）を有するＰ種類の光の回折反射に対応するために、１枚のホログラム回折格子膜にＰ種類の干渉縞が形成されている構成とすることもできる。あるいは又、例えば、第１導光板に、赤色の波長帯域（あるいは、波長）を有する光を回折反射させる反射型の体積ホログラム回折格子膜を配し、第２導光板に、緑色の波長帯域（あるいは、波長）を有する光を回折反射させる反射型の体積ホログラム回折格子膜を配し、第３導光板に、青色の波長帯域（あるいは、波長）を有する光を回折反射させる反射型の体積ホログラム回折格子膜を配し、これらの第１導光板、第２導光板及び第３導光板を隙間を開けて積層する構造を採用してもよい。第１導光板又は第３導光板が第１基板に相当する。あるいは又、画角を例えば三等分して、第１回折格子部材あるいは第２回折格子部材を、各画角に対応するホログラム回折格子膜が積層されて成る構成とすることができる。そして、これらの構成を採用することで、各波長帯域（あるいは、波長）を有する光が第１回折格子部材あるいは第２回折格子部材において回折反射されるときの回折効率の増加、回折受容角の増加、回折角の最適化を図ることができる。
【００４８】
回折格子部材を構成する材料として、フォトポリマー材料を挙げることができる。反射型の体積ホログラム回折格子膜から成る第１回折格子部材及び第２回折格子部材の構成材料や基本的な構造は、従来の反射型の体積ホログラム回折格子膜の構成材料や構造と同じとすればよい。反射型の体積ホログラム回折格子膜とは、＋１次の回折光のみを回折反射するホログラム回折格子膜を意味する。回折格子部材には、その内部から表面に亙り干渉縞が形成されているが、係る干渉縞それ自体の形成方法は、従来の形成方法と同じとすればよい。具体的には、例えば、回折格子部材を構成する部材（例えば、フォトポリマー材料）に対して一方の側の第１の所定の方向から物体光を照射し、同時に、回折格子部材を構成する部材に対して他方の側の第２の所定の方向から参照光を照射し、物体光と参照光とによって形成される干渉縞を回折格子部材を構成する部材の内部に記録すればよい。第１の所定の方向、第２の所定の方向、物体光及び参照光の波長を適切に選択することで、回折格子部材の表面における干渉縞の所望のピッチ、干渉縞の所望の傾斜角（スラント角）を得ることができる。干渉縞の傾斜角とは、回折格子部材の表面と干渉縞の成す角度を意味する。第１回折格子部材及び第２回折格子部材を、Ｐ層の反射型の体積ホログラム回折格子膜の積層構造から構成する場合、このようなホログラム回折格子膜の積層は、Ｐ層のホログラム回折格子膜をそれぞれ別個に作製した後、Ｐ層のホログラム回折格子膜を、例えば、紫外線硬化型接着剤を使用して積層（接着）すればよい。また、粘着性を有するフォトポリマー材料を用いて１層のホログラム回折格子膜を作製した後、その上に順次粘着性を有するフォトポリマー材料を貼り付けてホログラム回折格子膜を作製することで、Ｐ層のホログラム回折格子膜を作製してもよい。作製されたホログラム回折格子膜に、必要に応じてエネルギー線を照射することで、ホログラム回折格子膜の物体光及び参照光の照射時に重合せずに残ったフォトポリマー材料中のモノマーを重合させて、定着させる。また、必要に応じて、熱処理を行い、安定化させる。
【００４９】
以上に説明した各種好ましい形態、構成を含む本開示における画像表示装置において、画像形成装置は、２次元マトリクス状に配列された複数の画素を有する形態とすることができる。尚、このような画像形成装置の構成を、便宜上、『第１構成の画像形成装置』と呼ぶ。
【００５０】
第１構成の画像形成装置として、例えば、反射型空間光変調装置及び光源から構成された画像形成装置；透過型空間光変調装置及び光源から構成された画像形成装置；有機ＥＬ（Electro Luminescence）、無機ＥＬ、発光ダイオード（ＬＥＤ）、半導体レーザ素子等の発光素子から構成された画像形成装置を挙げることができるが、中でも、反射型空間光変調装置及び光源から構成された画像形成装置とすることが好ましい。空間光変調装置として、ライト・バルブ、例えば、ＬＣＯＳ（Liquid Crystal On Silicon）等の透過型あるいは反射型の液晶表示装置、デジタルマイクロミラーデバイス（ＤＭＤ）を挙げることができ、光源として発光素子を挙げることができる。更には、反射型空間光変調装置は、液晶表示装置、及び、光源からの光の一部を反射して液晶表示装置へと導き、且つ、液晶表示装置によって反射された光の一部を通過させて光学系へと導く偏光ビームスプリッターから成る構成とすることができる。光源を構成する発光素子として、赤色発光素子、緑色発光素子、青色発光素子、白色発光素子を挙げることができるし、あるいは又、赤色発光素子、緑色発光素子及び青色発光素子から出射された赤色光、緑色光及び青色光をライトパイプを用いて混色、輝度均一化を行うことで白色光を得てもよい。発光素子として、例えば、半導体レーザ素子や固体レーザ、ＬＥＤを例示することができる。画素の数は、画像表示装置に要求される仕様に基づき決定すればよく、画素の数の具体的な値として、３２０×２４０、４３２×２４０、６４０×４８０、８５４×４８０、１０２４×７６８、１９２０×１０８０等を例示することができる。
【００５１】
あるいは又、以上に説明した好ましい形態、構成を含む本開示における画像表示装置において、画像形成装置は、光源、及び、光源から出射された平行光を走査する走査手段を備えた形態とすることができる。尚、このような画像形成装置の構成を、便宜上、『第２構成の画像形成装置』と呼ぶ。
【００５２】
第２構成の画像形成装置における光源として発光素子を挙げることができ、具体的には、赤色発光素子、緑色発光素子、青色発光素子、白色発光素子を挙げることができるし、あるいは又、赤色発光素子、緑色発光素子及び青色発光素子から出射された赤色光、緑色光及び青色光をライトパイプを用いて混色、輝度均一化を行うことで白色光を得てもよい。発光素子として、例えば、半導体レーザ素子や固体レーザ、ＬＥＤを例示することができる。第２構成の画像形成装置における画素（仮想の画素）の数も、画像表示装置に要求される仕様に基づき決定すればよく、画素（仮想の画素）の数の具体的な値として、３２０×２４０、４３２×２４０、６４０×４８０、８５４×４８０、１０２４×７６８、１９２０×１０８０等を例示することができる。また、カラーの画像表示を行う場合であって、光源を赤色発光素子、緑色発光素子、青色発光素子から構成する場合、例えば、クロスプリズムを用いて色合成を行うことが好ましい。走査手段として、光源から出射された光を水平走査及び垂直走査する、例えば、二次元方向に回転可能なマイクロミラーを有するＭＥＭＳ（Micro Electro Mechanical Systems）やガルバノ・ミラーを挙げることができる。
【００５３】
第１構成の画像形成装置あるいは第２構成の画像形成装置において、光学系（出射光を平行光とする光学系であり、『平行光出射光学系』と呼ぶ場合があり、具体的には、例えば、コリメート光学系やリレー光学系）にて複数の平行光とされた光を第１基板（導光板）に入射させるが、このような、平行光であることの要請は、これらの光が第１基板へ入射したときの光波面情報が、第１偏向手段と第２偏向手段を介して第１基板から出射された後も保存される必要があることに基づく。尚、複数の平行光を生成させるためには、具体的には、例えば、平行光出射光学系における焦点距離の所（位置）に、例えば、画像形成装置の光出射部を位置させればよい。平行光出射光学系は、画素の位置情報を光学装置の光学系における角度情報に変換する機能を有する。平行光出射光学系として、凸レンズ、凹レンズ、自由曲面プリズム、ホログラムレンズを、単独、若しくは、組み合わせた、全体として正の光学的パワーを持つ光学系を例示することができる。平行光出射光学系と第１基板との間には、平行光出射光学系から不所望の光が出射されて第１基板に入射しないように、開口部を有する遮光部を配置してもよい。
【００５４】
以上に説明した各種好ましい形態、構成を含む本開示の表示装置において、フレームは、観察者の正面に配置されるフロント部、フロント部の両端に蝶番を介して回動自在に取り付けられた２つのテンプル部を備えている。尚、各テンプル部の先端部にはモダン部が取り付けられている。フロント部はリムを有していてもよい。画像表示装置はフレームに取り付けられているが、具体的には、例えば、画像形成装置をテンプル部に取り付ければよい。また、フロント部と２つのテンプル部とが一体となった構成とすることもできる。即ち、本開示の表示装置の全体を眺めたとき、フレームは、概ね通常の眼鏡と略同じ構造を有する。パッド部を含むフレームを構成する材料は、金属や合金、プラスチック、これらの組合せといった、通常の眼鏡を構成する材料と同じ材料から構成することができる。更には、フロント部にノーズパッドが取り付けられている構成とすることができる。即ち、本開示の表示装置の全体を眺めたとき、フレーム（リムを含む場合がある）及びノーズパッドの組立体は、通常の眼鏡と略同じ構造を有する。ノーズパッドも周知の構成、構造とすることができる。
【００５５】
調光装置が備えられている場合、調光装置はフロント部に配設されている形態とすることができる。また、光学装置は調光装置に取り付けられている形態とすることができる。尚、光学装置は、密着した状態で調光装置に取り付けられていてもよいし、隙間を開けた状態で調光装置に取り付けられていてもよい。また、調光装置はリムに嵌め込まれている形態とすることができる。あるいは又、調光装置用第１基板及び調光装置用第２基板の少なくとも一方を、例えば、フレームに取り付けてもよい。但し、これらに限定するものではない。観察者側から、光学装置、調光装置の順に配してもよいし、調光装置、光学装置の順に配してもよい。
【００５６】
本開示の表示装置にあっては、デザイン上、あるいは、装着の容易性といった観点から、１つあるいは２つの画像形成装置からの配線（信号線や電源線等）が、テンプル部、及び、モダン部の内部を介して、モダン部の先端部から外部に延び、制御装置（制御回路あるいは制御手段）に接続されている形態とすることが望ましい。更には、各画像形成装置はヘッドホン部を備えており、各画像形成装置からのヘッドホン部用配線が、テンプル部、及び、モダン部の内部を介して、モダン部の先端部からヘッドホン部へと延びている形態とすることもできる。ヘッドホン部として、例えば、インナーイヤー型のヘッドホン部、カナル型のヘッドホン部を挙げることができる。ヘッドホン部用配線は、より具体的には、モダン部の先端部から、耳介（耳殻）の後ろ側を回り込むようにしてヘッドホン部へと延びている形態とすることが好ましい。また、フロント部の中央部分や端部、テンプル部に撮像装置が取り付けられている形態とすることもできる。撮像装置は、具体的には、例えば、ＣＣＤあるいはＣＭＯＳセンサーから成る固体撮像素子とレンズから構成されている。撮像装置からの配線は、例えば、フロント部を介して、一方の画像表示装置（あるいは画像形成装置）に接続すればよく、更には、画像表示装置（あるいは画像形成装置）から延びる配線に含ませればよい。
【００５７】
あるいは又、本開示の表示装置を両眼型とする場合、
第１基板（導光板）は、全体として画像形成装置よりも観察者の顔の中心側に配置されており、
２つの画像表示装置を結合する結合部材を更に有し、
結合部材は、観察者の２つの瞳の間に位置するフレームの中央部分の観察者に面する側に取り付けられており、
結合部材の射影像は、フレームの射影像内に含まれる構成とすることができる。
【００５８】
このように、結合部材が、観察者の２つの瞳の間に位置するフレームの中央部分に取り付けられている構造とすることによって、即ち、画像表示装置は、フレームに、直接、取り付けられた構造とはなっていなければ、観察者がフレームを頭部に装着したとき、テンプル部が外側に向かって広がった状態となり、その結果、フレームが変形したとしても、係るフレームの変形によって、画像形成装置あるいは第１基板の変位（位置変化）が生じることがないか、生じたとしても、極僅かである。それ故、左右の画像の輻輳角が変化してしまうことを確実に防止することができる。しかも、フレームのフロント部の剛性を高める必要がないので、フレームの重量増加、デザイン性の低下、コストの増加を招くことがない。また、画像表示装置は、フレームに、直接、取り付けられていないので、観察者の嗜好によってフレームのデザインや色等を自由に選択することが可能であるし、フレームのデザインが受ける制約も少なく、デザイン上の自由度が高い。加えて、結合部材は、観察者とフレームとの間に配置されており、しかも、結合部材の射影像は、フレームの射影像内に含まれる。云い換えれば、観察者の正面から頭部装着型ディスプレイを眺めたとき、結合部材はフレームによって隠されている。従って、高いデザイン性、意匠性を頭部装着型ディスプレイに与えることができる。
【００５９】
尚、結合部材は、観察者の２つの瞳の間に位置するフロント部の中央部分（通常の眼鏡におけるブリッジの部分に相当する）の観察者に面する側に取り付けられている構成とすることが好ましい。
【００６０】
結合部材によって２つの画像表示装置が結合されているが、具体的には、結合部材の各端部に、画像形成装置が、取付け状態調整可能に取り付けられている形態とすることができる。そして、この場合、各画像形成装置は、観察者の瞳よりも外側に位置している構成とすることが好ましい。更には、このような構成にあっては、一方の画像形成装置の取付部中心とフレームの一端部（一方の智、ヨロイ）との間の距離をα、結合部材の中心からフレームの一端部（一方の智）までの距離をβ、他方の画像形成装置の取付部中心とフレームの一端部（一方の智）との間の距離をγ、フレームの長さをＬとしたとき、０．０１×Ｌ≦α≦０．３０×Ｌ、好ましくは、０．０５×Ｌ≦α≦０．２５×Ｌ、０．３５×Ｌ≦β≦０．６５×Ｌ、好ましくは、０．４５×Ｌ≦β≦０．５５×Ｌ、０．７０×Ｌ≦γ≦０．９９×Ｌ、好ましくは、０．７５×Ｌ≦γ≦０．９５×Ｌを満足することが望ましい。結合部材の各端部への画像形成装置の取付けは、具体的には、例えば、結合部材の各端部の３箇所に貫通孔を設け、貫通孔に対応した螺合部を画像形成装置に設け、各貫通孔にビスを通し、画像形成装置に設けられた螺合部に螺合させる。ビスと螺合部との間にはバネを挿入しておく。こうして、ビスの締め付け状態によって、画像形成装置の取付け状態（結合部材に対する画像形成装置の傾き）を調整することができる。
【００６１】
ここで、画像形成装置の取付部中心とは、画像形成装置が結合部材に取り付けられている状態において、画像形成装置及びフレームを仮想平面に射影したときに得られる画像形成装置の射影像が、フレームの射影像の重なっている部分のフレームの軸線方向に沿った二等分点を指す。また、結合部材の中心とは、結合部材がフレームに取り付けられている状態において、結合部材がフレームに接している部分のフレームの軸線方向に沿った二等分点を指す。フレームの長さとは、フレームが湾曲している場合、フレームの射影像の長さである。尚、射影方向は、観察者の顔に対して垂直な方向とする。
【００６２】
あるいは又、結合部材によって２つの画像表示装置が結合されているが、具体的には、結合部材が、２つの第１基板を結合している形態とすることもできる。尚、２つの第１基板が一体的に作製されている場合があり、このような場合、係る一体的に作製された第１基板に結合部材が取り付けられているが、係る形態も、結合部材が２つの第１基板を結合している形態に包含される。一方の画像形成装置の中心とフレームの一端部との間の距離をα’他方の画像形成装置の中心とフレームの一端部との間の距離をγ’としたとき、α’，γ’の値も上述したα，γの値と同様とすることが望ましい。尚、画像形成装置の中心とは、画像形成装置が第１基板に取り付けられている状態において、画像形成装置及びフレームを仮想平面に射影したときに得られる画像形成装置の射影像が、フレームの射影像の重なっている部分のフレームの軸線方向に沿った二等分点を指す。
【００６３】
結合部材の形状は、結合部材の射影像がフレームの射影像内に含まれる限りにおいて、本質的に任意であり、例えば、棒状、細長い板状を例示することができる。結合部材を構成する材料も、金属や合金、プラスチック、これらの組合せを挙げることができる。
【００６４】
本開示の表示装置にあっては、画像表示装置において画像を表示するための信号（光学装置において虚像を形成するための信号）を外部から受け取る形態とすることができる。このような形態にあっては、画像表示装置において表示する画像に関する情報やデータは、例えば、所謂クラウドコンピュータやサーバーに記録、保管、保存されており、表示装置が通信手段、例えば、携帯電話機やスマートフォンを備えることによって、あるいは又、表示装置と通信手段とを組み合わせることによって、クラウドコンピュータやサーバーと表示装置との間での各種情報やデータの授受、交換を行うことができるし、各種情報やデータに基づく信号、即ち、画像表示装置において画像を表示するための信号（光学装置において虚像を形成するための信号）を受け取ることができる。あるいは又、画像表示装置において画像を表示するための信号（光学装置において虚像を形成するための信号）は表示装置に記憶されている形態とすることができる。尚、画像表示装置において表示される画像には、各種情報や各種データが含まれる。あるいは又、表示装置は撮像装置を備えており、撮像装置によって撮像された画像を通信手段を介してクラウドコンピュータやサーバーに送出し、クラウドコンピュータやサーバーにおいて撮像装置によって撮像された画像に該当する各種情報やデータを検索し、検索された各種情報やデータを通信手段を介して表示装置に送出し、検索された各種情報やデータを画像表示装置において画像を表示してもよい。
【００６５】
撮像装置によって撮像された画像を通信手段を介してクラウドコンピュータやサーバーに送出する際、撮像装置によって撮像される画像を画像表示装置において表示し、光学装置において確認してもよい。具体的には、撮像装置によって撮像される空間領域の外縁を調光装置において枠状に表示する形態とすることができる。あるいは又、撮像装置によって撮像される空間領域に対応する調光装置の領域の遮光率を、撮像装置によって撮像される空間領域の外側に対応する調光装置の領域の遮光率よりも高くする形態とすることができる。このような形態にあっては、観察者には、撮像装置によって撮像される空間領域は、撮像装置によって撮像される空間領域の外側よりも暗く見える。あるいは又、撮像装置によって撮像される空間領域に対応する調光装置の領域の遮光率を、撮像装置によって撮像される空間領域の外側に対応する調光装置の領域の遮光率よりも低くする形態とすることもできる。このような形態にあっては、観察者には、撮像装置によって撮像される空間領域は、撮像装置によって撮像される空間領域の外側よりも明るく見える。そして、これによって、撮像装置が外部のどこを撮像するかを観察者は、容易に、且つ、確実に認識することができる。
【００６６】
撮像装置によって撮像される空間領域に対応する調光装置の領域の位置を校正することが好ましい。具体的には、表示装置が、例えば、携帯電話機やスマートフォンを備えることによって、あるいは又、表示装置と携帯電話機やスマートフォン、パーソナルコンピュータとを組み合わせることによって、携帯電話機やスマートフォン、パーソナルコンピュータにおいて、撮像装置によって撮像された空間領域を表示することができる。そして、携帯電話機やスマートフォン、パーソナルコンピュータにおいて表示された空間領域と、撮像装置によって撮像される空間領域に対応する調光装置の領域との間に差異が存在する場合、調光装置の遮光率（光透過率）を制御するための制御回路（携帯電話機やスマートフォン、パーソナルコンピュータによって代用することもできる）を用いて、撮像装置によって撮像される空間領域に対応する調光装置の領域を移動・回転させ、あるいは、拡大／縮小することで、携帯電話機やスマートフォン、パーソナルコンピュータにおいて表示された空間領域と、撮像装置によって撮像される空間領域に対応する調光装置の領域との間の差異を無くせばよい。
【００６７】
以上に説明した種々の変形例を含む本開示の表示装置は、例えば、電子メールの受信・表示、インターネット上の種々のサイトにおける各種情報等の表示、各種装置等の観察対象物の運転、操作、保守、分解時等における各種説明や、記号、符号、印、標章、図案等の表示；人物や物品等の観察対象物に関する各種説明や、記号、符号、印、標章、図案等の表示；動画や静止画の表示；映画等の字幕の表示；映像に同期した映像に関する説明文やクローズド・キャプションの表示；芝居や歌舞伎、能、狂言、オペラ、音楽会、バレー、各種演劇、遊園地（アミューズメントパーク）、美術館、観光地、行楽地、観光案内等における観察対象物に関する各種説明、その内容や進行状況、背景等を説明するための説明文等の表示に用いることができるし、クローズド・キャプションの表示に用いることができる。芝居や歌舞伎、能、狂言、オペラ、音楽会、バレー、各種演劇、遊園地（アミューズメントパーク）、美術館、観光地、行楽地、観光案内等にあっては、適切なタイミングで観察対象物に関連した画像としての文字を表示装置において表示すればよい。具体的には、例えば、映画等の進行状況に応じて、あるいは又、芝居等の進行状況に応じて、所定のスケジュール、時間配分に基づき、作業者の操作によって、あるいは、コンピュータ等の制御下、画像制御信号が表示装置に送出され、画像が表示装置にて表示される。また、各種装置、人物や物品等の観察対象物に関する各種説明の表示を行うが、撮像装置によって各種装置、人物や物品等の観察対象物を撮影（撮像）し、表示装置において撮影（撮像）内容を解析することで、予め作成しておいた各種装置、人物や物品等の観察対象物に関する各種説明の表示を表示装置にて行うことができる。
【００６８】
画像形成装置への画像信号には、画像信号（例えば、文字データ）だけでなく、例えば、表示すべき画像に関する輝度データ（輝度情報）、又は、色度データ（色度情報）、又は、輝度データ及び色度データを含めることができる。輝度データは、光学装置を通して眺めた観察対象物を含む所定の領域の輝度に対応した輝度データとすることができるし、色度データは、光学装置を通して眺めた観察対象物を含む所定の領域の色度に対応した色度データとすることができる。このように、画像に関する輝度データを含めることで、表示される画像の輝度（明るさ）の制御を行うことができるし、画像に関する色度データを含めることで、表示される画像の色度（色）の制御を行うことができるし、画像に関する輝度データ及び色度データを含めることで、表示される画像の輝度（明るさ）及び色度（色）の制御を行うことができる。画像表示装置を通して眺めた観察対象物を含む所定の領域の輝度に対応した輝度データとする場合、画像表示装置を通して眺めた観察対象物を含む所定の領域の輝度の値が高くなるほど、画像の輝度の値が高くなるように（即ち、画像がより明るく表示されるように）、輝度データの値を設定すればよい。また、画像表示装置を通して眺めた観察対象物を含む所定の領域の色度に対応した色度データとする場合、画像表示装置を通して眺めた観察対象物を含む所定の領域の色度と、表示すべき画像の色度とが、おおよそ補色関係となるように色度データの値を設定すればよい。補色とは、色相環（color circle）で正反対に位置する関係の色の組み合わせ指す。赤色に対しての緑色、黄色に対しての紫色、青色に対しての橙色など、相補的な色のことでもある。或る色に別の色を適宜の割合で混合して、光の場合は白、物体の場合は黒というように、彩度低下を引き起こす色についても云うが、並列した際の視覚的効果の相補性と混合した際の相補性は異なる。余色、対照色、反対色ともいう。但し、反対色は補色が相対する色を直接に指示するのに対し、補色の指示する範囲はやや広い。補色同士の色の組み合わせは互いの色を引き立て合う相乗効果があり、これは補色調和といわれる。
【００６９】
本開示の表示装置によって、例えば、頭部装着型ディスプレイ（ＨＭＤ，Head Mounted Display）を構成することができる。そして、これによって、表示装置の軽量化、小型化を図ることができるし、表示装置装着時の不快感を大幅に軽減させることが可能となり、更には、製造コストダウンを図ることも可能となる。あるいは又、車両や航空機のコックピット等に備えられるヘッドアップディスプレイ（ＨＵＤ）に本開示の表示装置を適用することができる。具体的には、画像形成装置から出射された光に基づき虚像が形成される虚像形成領域が車両や航空機のコックピット等のフロントガラスに配されたＨＵＤにおいて、あるいは又、画像形成装置から出射された光に基づき虚像が形成される虚像形成領域を有するコンバイナが車両や航空機のコックピット等のフロントガラスに配されたＨＵＤにおいて、調光装置を備えている場合、係る虚像形成領域やコンバイナを調光装置の少なくとも一部分と重ならせればよい。あるいは又、本開示の表示装置は、立体視ディスプレイ装置として用いることもできる。この場合、必要に応じて、光学装置に偏光板や偏光フィルムを着脱自在に取り付け、あるいは、光学装置に偏光板や偏光フィルムを貼り合わせればよい。
【実施例１】
【００７０】
実施例１は、本開示の光学装置、具体的には、本開示の光学装置−Ａに関し、更には、本開示の画像表示装置及び本開示の表示装置に関する。実施例１の画像表示装置の概念図を図１に示し、実施例１の表示装置（具体的には、頭部装着型ディスプレイ，ＨＭＤ）を上方から眺めた模式図を図５に示し、側方から眺めた模式図を図６Ａに示し、画像表示装置を構成する第１基板（導光板）における光の伝播状態を図６Ｂに模式的に示す。更には、実施例１の表示装置における反射型の体積ホログラム回折格子膜の一部を拡大して示す模式的な断面図を図７に示す。【００７１】
実施例１あるいは後述する実施例２〜実施例１３の表示装置は、より具体的には、頭部装着型ディスプレイ（ＨＭＤ）であり、
（イ）観察者２０の頭部に装着されるフレーム１０（例えば、眼鏡型のフレーム１０）、及び、
（ロ）フレーム１０に取り付けられた画像表示装置１００，２００，３００，４００，５００、
を備えている。尚、実施例１あるいは後述する実施例２〜実施例１３の表示装置を、具体的には、２つの画像表示装置を備えた両眼型としたが、１つ備えた片眼型としてもよい。画像形成装置１１１，２１１は、例えば、単色（例えば、緑色）の画像（虚像）を表示する。そして、実施例１あるいは後述する実施例２〜実施例１３における画像表示装置１００，２００，３００，４００，５００は、
（Ａ）画像形成装置１１１，２１１、及び、
（Ｂ）画像形成装置１１１，２１１から出射された光が入射され、出射される光学装置１２０，３２０，５２０，５３０、
を備えている。更には、実施例１あるいは後述する実施例２〜実施例１３の表示装置にあっては、
（Ｃ）画像形成装置１１１，２１１から出射された光を平行光とする光学系（平行光出射光学系）１１２，２５４、
を備えており、光学系１１２，２５４にて平行光とされた光束が光学装置１２０，３２０，５２０，５３０に入射され、出射される。【００７２】
尚、画像表示装置１００，２００，３００，４００，５００は、フレーム１０に、固定して取り付けられていてもよいし、着脱自在に取り付けられていてもよい。ここで、光学系１１２，２５４は、画像形成装置１１１，２１１と光学装置１２０，３２０，５２０，５３０との間に配置されている。そして、光学系１１２，２５４にて平行光とされた光束が、光学装置１２０，３２０，５２０，５３０に入射され、出射される。また、光学装置１２０，３２０，５２０，５３０は半透過型（シースルー型）である。具体的には、少なくとも観察者２０の両眼に対向する光学装置の部分（より具体的には、第１基板１２１，３２１、第２基板１２２，３２２、及び、後述する第２偏向手段１４２，３４２）は、半透過（シースルー）である。【００７３】
そして、実施例１あるいは後述する実施例２〜実施例１３の光学装置１２０，３２０は、
第１面１２１Ａ，３２１Ａ、及び、第１面１２１Ａ，３２１Ａと対向した第２面１２１Ｂ，３２１Ｂを有する第１基板１２１，３２１、
第１面１２２Ａ，３２２Ａ、及び、第１面１２２Ａ，３２２Ａと対向した第２面１２２Ｂ，３２２Ｂを有し、第１面１２２Ａ，３２２Ａが第１基板１２１，３２１の第１面１２１Ａ，３２１Ａと対向して配設された第２基板１２２，３２２、
第１基板１２１，３２１の第１面に配された偏向手段１４１，１４２，３４１，３４２、
第１基板１２１，３２１の第１面１２１Ａ，３２１Ａの外縁部と第２基板１２２，３２２の第１面１２２Ａ，３２２Ａの外縁部を封止する封止部材１２４、並びに、
第１基板１２１，３２１と第２基板１２２，３２２と封止部材１２４とによって囲まれた空間内に配置された吸湿部材１３０、
を備えている。【００７４】
実施例１あるいは後述する実施例２〜実施例１３の光学装置において、第１基板１２１，３２１は導光板として機能する。即ち、画像形成装置１１１，２１１から入射された光は、第１基板１２１，３２１（導光板）の内部を全反射により伝播した後、観察者に向けて出射される。光学ガラスやプラスチック材料から成る第１基板１２１，３２１は、第１基板１２１，３２１の内部全反射による光伝播方向（Ｘ軸）と平行に延びる２つの平行面（第１面１２１Ａ，３２１Ａ及び第２面１２１Ｂ，３２１Ｂ）を有している。第１面１２１Ａ，３２１Ａと第２面１２１Ｂ，３２１Ｂとは対向している。【００７５】
実施例１あるいは後述する実施例２〜実施例４の光学装置において、
偏向手段は、第１偏向手段１４１，３４１及び第２偏向手段１４２，３４２から構成されており、
第１偏向手段１４１，３４１は、第１基板１２１，３２１に入射された光が第１基板１２１，３２１の内部で全反射されるように、第１基板１２１，３２１に入射された光を偏向させ、
第２偏向手段１４２、３４２は、第１基板１２１、３２１の内部を全反射により伝播した光を第１基板１２１、３２１から出射させるために、第１基板１２１、３２１の内部を全反射により伝播した光を偏向させる。即ち、実施例１あるいは後述する実施例２〜実施例４の光学装置は、本開示の光学装置−Ａである。そして、第２偏向手段１４２，３４２によって光学装置１２０，３２０の虚像形成領域が構成される。【００７６】
即ち、実施例１あるいは後述する実施例２〜実施例４の表示装置は、
（Ｂ−１）画像形成装置１１１，２１１から入射された光が内部を全反射により伝播した後、観察者２０に向けて出射される第１基板（導光板）１２１，３２１、
（Ｂ−２）第１基板（導光板）１２１，３２１に入射された光が第１基板１２１，３２１の内部で全反射されるように、第１基板１２１，３２１に入射された光を偏向させる第１偏向手段１４１，３４１、及び、
（Ｂ−３）第１基板（導光板）１２１，３２１の内部を全反射により伝播した光を第１基板１２１，３２１から出射させるために、第１基板１２１，３２１の内部を全反射により伝播した光を複数回に亙り偏向させる第２偏向手段１４２，３４２、
から成る光学装置１２０，３２０を備えており、
第２偏向手段１４２，３４２によって光学装置の虚像形成領域が構成される。【００７７】
実施例１あるいは後述する実施例２〜実施例４において、画像形成装置１１１，２１１の中心から出射され、光学系１１２，２５４の画像形成装置側節点を通過した光線（中心光線ＣＬ）の内、光学装置１２０，３２０に垂直に入射する中心入射光線が光学装置１２０，３２０に入射する点を光学装置中心点Ｏとし、光学装置中心点Ｏを通過し、光学装置１２０，３２０の軸線方向と平行な軸線をＸ軸、光学装置中心点Ｏを通過し、光学装置１２０，３２０の法線と一致する軸線をＺ軸とする。尚、第１偏向手段１４１，３４１の中心点が、光学装置中心点Ｏである。即ち、図６Ｂに示すように、画像表示装置１００，２００，３００，４００において、画像形成装置１１１，２１１の中心から出射され、光学系１１２，２５４の画像形成装置側節点を通過した中心入射光線ＣＬは、第１基板１２１，３２１に垂直に衝突する。云い換えれば、中心入射光線ＣＬは、第１基板１２１，３２１へ、入射角０度で入射する。そして、この場合、表示される画像（虚像）の中心は、第１基板１２１，３２１の第１面１２１Ａ，３２１Ａの垂線方向に一致する。【００７８】
実施例１において、第１偏向手段１４１及び第２偏向手段１４２は、第１基板１２１の第１面１２１Ａに配設されている（貼り合わされている）。そして、第１偏向手段１４１は、第２面１２１Ｂから第１基板１２１に入射された平行光が第１基板１２１の内部で全反射されるように、回折反射する。第２偏向手段１４２は、第１基板１２１の内部を全反射により伝播した光を、複数回に亙り、回折反射し、第１基板１２１から平行光のまま第２面１２１Ｂから出射する。ここで、第１偏向手段１４１及び第２偏向手段１４２の少なくとも一方は、具体的には、実施例１にあっては、第１偏向手段１４１及び第２偏向手段１４２のそれぞれは、吸水性を有する材料（フォトポリマー材料）から成る。即ち、第１偏向手段１４１及び第２偏向手段１４２のそれぞれは、具体的には、樹脂材料から作製された１枚のホログラム回折格子膜、より具体的には、１枚の反射型の体積ホログラム回折格子膜から成る。以下の説明において、反射型の体積ホログラム回折格子膜から成る第１偏向手段１４１を、便宜上、『第１回折格子部材１４１』と呼び、反射型の体積ホログラム回折格子膜から成る第２偏向手段１４２を、便宜上、『第２回折格子部材１４２』と呼ぶ。尚、フォトポリマー材料から成る各反射型の体積ホログラム回折格子膜には、１種類の波長帯域（あるいは、波長）に対応する干渉縞が形成されており、従来の方法で作製されている。反射型の体積ホログラム回折格子膜に形成された干渉縞のピッチは一定であり、干渉縞は直線状であり、Ｙ軸に平行である。尚、第１回折格子部材１４１及び第２回折格子部材１４２の軸線はＸ軸と平行であり、法線はＺ軸と平行である。【００７９】
図７に反射型の体積ホログラム回折格子膜の拡大した模式的な一部断面図を示す。反射型の体積ホログラム回折格子膜には、傾斜角（スラント角）φを有する干渉縞が形成されている。ここで、傾斜角φとは、反射型の体積ホログラム回折格子膜の表面と干渉縞の成す角度を指す。干渉縞は、反射型の体積ホログラム回折格子膜の内部から表面に亙り、形成されている。干渉縞は、ブラッグ条件を満たしている。ここで、ブラッグ条件とは、以下の式（Ａ）を満足する条件を指す。式（Ａ）中、ｍは正の整数、λは波長、ｄは格子面のピッチ（干渉縞を含む仮想平面の法線方向の間隔）、Θは干渉縞へ入射する角度の余角を意味する。また、入射角ψにて回折格子部材に光が侵入した場合の、Θ、傾斜角φ、入射角ψの関係は、式（Ｂ）のとおりである。【００８０】
ｍ・λ＝２・ｄ・ｓｉｎ（Θ）    （Ａ）
Θ＝９０°−（φ＋ψ）          （Ｂ）【００８１】
第１基板１２１にあっては、平行光が内部を全反射により伝播した後、出射される。このとき、第１基板１２１が薄く第１基板１２１の内部を進行する光路が長いため、各画角によって第２回折格子部材１４２に至るまでの全反射回数は異なっている。より詳細に述べれば、第１基板１２１に入射する平行光のうち、第２回折格子部材１４２に近づく方向の角度をもって入射する平行光の反射回数は、第２回折格子部材１４２から離れる方向の角度をもって第１基板１２１に入射する平行光の反射回数よりも少ない。これは、第１回折格子部材１４１において回折反射される平行光であって、第２回折格子部材１４２に近づく方向の角度をもって第１基板１２１に入射する平行光の方が、これと逆方向の角度をもって第１基板１２１に入射する平行光よりも、第１基板１２１の内部を伝播していく光が第１基板１２１の内面と衝突するときの第１基板１２１の法線と成す角度が小さくなるからである。また、第２回折格子部材１４２の内部に形成された干渉縞の形状と、第１回折格子部材１４１の内部に形成された干渉縞の形状とは、第１基板１２１の軸線に垂直な仮想平面に対して対称な関係にある。【００８２】
実施例１あるいは後述する実施例３において、画像形成装置１１１は、第１構成の画像形成装置であり、２次元マトリクス状に配列された複数の画素を有する。具体的には、画像形成装置１１１は、反射型空間光変調装置１５０、及び、白色光を出射する発光ダイオードから成る光源１５３から構成されている。各画像形成装置１１１全体は、筐体１１３（図１では、一点鎖線で示す）内に納められており、係る筐体１１３には開口部（図示せず）が設けられており、開口部を介して光学系（平行光出射光学系、コリメート光学系）１１２から光が出射される。反射型空間光変調装置１５０は、ライト・バルブとしてのＬＣＯＳから成る液晶表示装置（ＬＣＤ）１５１、及び、光源１５３からの光の一部を反射して液晶表示装置１５１へと導き、且つ、液晶表示装置１５１によって反射された光の一部を通過させて光学系１１２へと導く偏光ビームスプリッター１５２から構成されている。液晶表示装置１５１は、２次元マトリクス状に配列された複数（例えば、６４０×４８０個）の画素（液晶セル）を備えている。偏光ビームスプリッター１５２は、周知の構成、構造を有する。光源１５３から出射された無偏光の光は、偏光ビームスプリッター１５２に衝突する。偏光ビームスプリッター１５２において、Ｐ偏光成分は通過し、系外に出射される。一方、Ｓ偏光成分は、偏光ビームスプリッター１５２において反射され、液晶表示装置１５１に入射し、液晶表示装置１５１の内部で反射され、液晶表示装置１５１から出射される。ここで、液晶表示装置１５１から出射した光の内、「白」を表示する画素から出射した光にはＰ偏光成分が多く含まれ、「黒」を表示する画素から出射した光にはＳ偏光成分が多く含まれる。従って、液晶表示装置１５１から出射され、偏光ビームスプリッター１５２に衝突する光の内、Ｐ偏光成分は、偏光ビームスプリッター１５２を通過し、光学系１１２へと導かれる。一方、Ｓ偏光成分は、偏光ビームスプリッター１５２において反射され、光源１５３に戻される。光学系１１２は、例えば、凸レンズから構成され、平行光を生成させるために、光学系１１２における焦点距離の所（位置）に画像形成装置１１１（より具体的には、液晶表示装置１５１）が配置されている。【００８３】
フレーム１０は、観察者２０の正面に配置されるフロント部１１と、フロント部１１の両端に蝶番１２を介して回動自在に取り付けられた２つのテンプル部１３と、各テンプル部１３の先端部に取り付けられたモダン部（先セル、耳あて、イヤーパッドとも呼ばれる）１４から成る。また、ノーズパッド（図５には図示せず）が取り付けられている。即ち、フレーム１０及びノーズパッドの組立体は、基本的には、通常の眼鏡と略同じ構造を有する。更には、各筐体１１３が、取付け部材１９によって、着脱自在にテンプル部１３に取り付けられている。フレーム１０は、金属又はプラスチックから作製されている。尚、各筐体１１３は、取付け部材１９によってテンプル部１３に着脱できないように取り付けられていてもよい。また、眼鏡を所有し、装着している観察者に対しては、観察者の所有する眼鏡のフレーム１０のテンプル部１３に、各筐体１１３を取付け部材１９によって着脱自在に取り付けてもよい。各筐体１１３を、テンプル部１３の外側に取り付けてもよいし、テンプル部１３の内側に取り付けてもよい。あるいは又、フロント部１１に備えられたリムに、第１基板１２１，３２１を嵌め込んでもよい。【００８４】
更には、一方の画像形成装置１１１Ａから延びる配線（信号線や電源線等）１５が、テンプル部１３、及び、モダン部１４の内部を介して、モダン部１４の先端部から外部に延び、制御装置（制御回路、制御手段）１８に接続されている。更には、各画像形成装置１１１Ａ，１１１Ｂはヘッドホン部１６を備えており、各画像形成装置１１１Ａ，１１１Ｂから延びるヘッドホン部用配線１６’が、テンプル部１３、及び、モダン部１４の内部を介して、モダン部１４の先端部からヘッドホン部１６へと延びている。ヘッドホン部用配線１６’は、より具体的には、モダン部１４の先端部から、耳介（耳殻）の後ろ側を回り込むようにしてヘッドホン部１６へと延びている。このような構成にすることで、ヘッドホン部１６やヘッドホン部用配線１６’が乱雑に配置されているといった印象を与えることがなく、すっきりとした表示装置とすることができる。【００８５】
配線（信号線や電源線等）１５は、上述したとおり、制御装置（制御回路）１８に接続されている。制御装置１８には、例えば、画像情報記憶装置１８Ａが備えられている。そして、制御装置１８において画像表示のための処理がなされる。制御装置１８、画像情報記憶装置１８Ａは周知の回路から構成することができる。【００８６】
フロント部１１の中央部分１１’に、ＣＣＤあるいはＣＭＯＳセンサーから成る固体撮像素子とレンズ（これらは図示せず）とから構成された撮像装置１７が、適切な取付部材（図示せず）によって取り付けられている。撮像装置１７からの信号は、撮像装置１７から延びる配線（図示せず）を介して制御装置（制御回路）１８に送出される。【００８７】
図１に示すように、実施例１あるいは後述する実施例２〜実施例１３の光学装置において、吸湿部材１３０は、第２基板１２２，３２２の第１面１２２Ａ，３２２Ａに配置されている。具体的には、吸湿部材１３０は、第２基板１２２，３２２の第１面１２２Ａ，３２２Ａの全面に貼り合わされている。また、吸湿部材１３０の吸水率は、偏向手段１４１，１４２，３４１，３４２を構成する材料の吸水率よりも高い。吸湿部材１３０は、フィルム状あるいはスポンジ状のポリビニルアルコール（ＰＶＡ）から成る。偏向手段１４１，１４２，３４１，３４２は、フォトポリマー材料から成る。尚、吸湿部材１３０は、ナノポーラスシリカ、モレキュラシーブ、ゼオライト、活性炭、活性アルミナ、珪藻土、モンモリロナイト及びベントナイトから構成された群から選択された少なくとも１種類の材料、具体的には、例えばナノポーラスシリカとすることもできる。このような固形状の吸湿部材は、第２基板１２２，３２２の第１面１２２Ａ，３２２Ａに、例えば、接着剤を用いて固定すればよい。あるいは又、吸湿部材１３０は、光透過率が５０％以上の樹脂製フィルム、具体的には、例えばＰＶＡとすることもでき、第２基板１２２，３２２の第１面１２２Ａ，３２２Ａに、例えば、接着剤を用いて固定すればよいし、転写法に基づき固定することもできる。【００８８】
第１基板１２１，３２１及び第２基板１２２，３２２は、透明基板から成る。具体的には、第１基板１２１，３２１は、例えばシクロオレフィンポリマーから成り、第２基板１２２，３２２は、例えばポリカーボネート樹脂、又は、ポリカーボネート樹脂とアクリル系樹脂の積層構造から成る。また、封止部材１２４は、例えばエポキシ系樹脂から成る。光が入射する第１基板１２１，３２１の面を第１基板入射面、光が出射する第１基板１２１，３２１の面を第１基板出射面としたとき、第２面１２１Ｂ，３２１Ｂによって第１基板入射面及び第１基板出射面が構成されている。【００８９】
あるいは又、図２の（Ａ）及び（Ｂ）、並びに、図３の（Ａ）及び（Ｂ）に示すように、実施例１あるいは後述する実施例２〜実施例１３の光学装置において、吸湿部材１３０は、第１基板１２１，３２１の第１面１２１Ａ，３２１Ａの第１偏向手段１４１，３４１及び第２偏向手段１４２，３４２が配された領域以外の領域に配置されていてもよい。尚、図２の（Ａ）及び図３の（Ａ）に示した例では、第１基板１２１，３２１の第１面１２１Ａ，３２１Ａの封止部材１２４の一部の内側に沿った領域に配されている。一方、図２の（Ｂ）及び図３の（Ｂ）に示した例では、吸湿部材１３０は、第１偏向手段１４１，３４１から第２偏向手段１４２，３４２へと光が導光される第１基板１２１，３２１の領域（第１基板の導光領域）以外の領域にも配置されている。即ち、吸湿部材１３０は、第１偏向手段１４１，３４１、第２偏向手段１４２，３４２及び第１基板１２１，３２１の導光領域を取り囲むように、額縁状に配置されている。吸湿部材１３０と偏向手段１４１，３４１，１４２，３４２との間には、１μｍ以上、隙間が空いていることが望ましい。尚、図２の（Ａ）及び（Ｂ）に示した例では、第２基板１２２，３２２の第１面１２２Ａ，３２２Ａには吸湿部材１３０が配置されていない。一方、図３の（Ａ）及び（Ｂ）に示した例では、第２基板１２２，３２２の第１面１２２Ａ，３２２Ａに吸湿部材１３０が配置されている。【００９０】
あるいは又、実施例１あるいは後述する実施例２〜実施例１３の光学装置において、吸湿部材１３０を、
第２基板１２２，３２２の第１面１２２Ａ，３２２Ａの封止部材１２４の内側に沿った領域、又は、
第１基板１２１，３２１の第１面１２１Ａ，３２１Ａの封止部材１２４の内側に沿った領域、又は、
第２基板１２２，３２２の第１面１２２Ａ，３２２Ａの封止部材１２４の内側に沿った領域、及び、第１基板１２１，３２１の第１面１２１Ａ，３２１Ａの封止部材１２４の内側に沿った領域、
に配置することもできる。この場合にも、吸湿部材１３０と封止部材１２４との間には、１μｍ以上、隙間が空いていることが望ましい。【００９１】
また、図４に示すように、第２基板１２２，３２２に面した第１偏向手段１４１，３４１の面及び第２偏向手段１４２，３４２の面には保護膜１３２を配することもできる。吸湿部材１３０と保護膜１３２とを、同じ材料、具体的には、ＰＶＡから構成とすることもできる。そして、この場合、吸湿部材１３０の厚さｔ1は保護膜１３２の厚さｔ2よりも厚いことが好ましい。具体的には、
ｔ2≦１０μｍ
ｔ2＜ｔ1≦１ｍｍ
を満足することが好ましい。より具体的には、
ｔ1＝５μｍ
ｔ2＝２．５μｍ
とした。【００９２】
以上のとおり、実施例１の光学装置、画像表示装置を構成する光学装置、表示装置を構成する光学装置においては、吸湿部材が第１基板と第２基板と封止部材とによって囲まれた空間内に配置されているので、偏向手段の光学特性に対する水分の影響を充分に抑制することができる。即ち、表示装置の軽量化を図りつつ、フォトポリマー材料の吸湿に起因した偏向手段の膨潤等によって、偏向手段の特性の変化、例えば、干渉縞のピッチ、干渉縞の傾斜角（スラント角）に変化が生じるといった問題の発生を確実に回避することができ、安定した特性を有する表示装置を提供することができる。
【実施例２】
【００９３】
実施例２は、実施例１の変形である。実施例２の表示装置（頭部装着型ディスプレイ）における画像表示装置２００の概念図を図８に示すように、実施例２において、画像形成装置２１１は第２構成の画像形成装置から構成されている。即ち、光源２５１、及び、光源２５１から出射された平行光を走査する走査手段２５３を備えている。より具体的には、画像形成装置２１１は、
光源２５１、
光源２５１から出射された光を平行光とするコリメート光学系２５２、
コリメート光学系２５２から出射された平行光を走査する走査手段２５３、及び、
走査手段２５３によって走査された平行光をリレーし、出射するリレー光学系２５４、
から構成されている。尚、画像形成装置２１１全体が筐体２１３（図８では、一点鎖線で示す）内に納められており、係る筐体２１３には開口部（図示せず）が設けられており、開口部を介してリレー光学系２５４から光が出射される。そして、各筐体２１３が、取付け部材１９によって、着脱自在に、テンプル部１３に取り付けられている。【００９４】
光源２５１は、白色を発光する発光素子から構成されている。そして、光源２５１から出射された光は、全体として正の光学的パワーを持つコリメート光学系２５２に入射し、平行光として出射される。そして、この平行光は、全反射ミラー２５６で反射され、マイクロミラーを二次元方向に回転自在とし、入射した平行光を２次元的に走査することができるＭＥＭＳから成る走査手段２５３によって水平走査及び垂直走査が行われ、一種の２次元画像化され、仮想の画素（画素数は、例えば、実施例１と同じとすることができる）が生成される。そして、仮想の画素からの光は、周知のリレー光学系から構成されたリレー光学系（平行光出射光学系）２５４を通過し、平行光とされた光束が光学装置１２０に入射する。【００９５】
リレー光学系２５４にて平行光とされた光束が入射され、導光され、出射される光学装置１２０は、実施例１にて説明した光学装置と同じ構成、構造を有するので、詳細な説明は省略する。また、実施例２の表示装置も、上述したとおり、画像形成装置２１１が異なる点を除き、実質的に、実施例１の表示装置と同じ構成、構造を有するので、詳細な説明は省略する。
【実施例３】
【００９６】
実施例３も実施例１の変形である。実施例３の表示装置（頭部装着型ディスプレイ）における画像表示装置３００の概念図を図９に示す。実施例３において、画像形成装置１１１は、実施例１と同様に、第１構成の画像形成装置から構成されている。また、光学装置３２０は、第１偏向手段３４１の構成、構造が異なる点を除き、基本的な構成、構造は、実施例１の光学装置１２０と同じである。【００９７】
実施例３あるいは実施例４において、第１偏向手段３４１は、第１基板（導光板）３２１に入射された光を反射する。即ち、第１偏向手段３４１においては、第１基板３２１に入射された平行光が第１基板３２１の内部で全反射されるように、第１基板３２１に入射された平行光が反射される。実施例３あるいは後述する実施例４において、第１偏向手段３４１は、第１基板３２１の内部に配設された反射鏡、より具体的には、アルミニウム（Ａｌ）から成り、第１基板３２１に入射された光を反射させる光反射膜（一種のミラー）から構成されている。第１偏向手段３４１は、第１基板３２１の第１偏向手段３４１を設ける部分を切り出すことで、第１基板３２１に第１偏向手段３４１を形成すべき斜面を設け、係る斜面に光反射膜を真空蒸着した後、第１基板３２１の切り出した部分を第１偏向手段３４１に接着すればよい。【００９８】
一方、第２偏向手段３４２は、第１基板３２１の内部を全反射により伝播した光を、複数回に亙り、反射回折する。即ち、第２偏向手段３４２においては、第１基板３２１の内部を全反射により伝播した平行光が複数回に亙り反射回折され、第１基板３２１から平行光の状態で、観察者２０の瞳２１に向かって出射される。第２偏向手段３４２は、実施例１の第２偏向手段１４２と同様に、反射型の体積ホログラム回折格子膜から成る。【００９９】
実施例３の表示装置は、上述したとおり、光学装置３２０が異なる点を除き、実質的に、実施例１の表示装置と同じ構成、構造を有するので、詳細な説明は省略する。
【実施例４】
【０１００】
実施例４は、実施例３の変形である。実施例４の表示装置（頭部装着型ディスプレイ）における画像表示装置の概念図を図１０に示す。実施例４の画像表示装置４００における光源２５１、コリメート光学系２５２、走査手段２５３、平行光出射光学系（リレー光学系２５４）等は、実施例２と同じ構成、構造（第２構成の画像形成装置）を有する。また、実施例４における光学装置３２０は、実施例３における光学装置３２０と同じ構成、構造を有する。実施例４の表示装置は、以上の相違点を除き、実質的に、実施例２の表示装置と同じ構成、構造を有するので、詳細な説明は省略する。
【実施例５】
【０１０１】
実施例５は、実施例１〜実施例４における画像表示装置の変形である。実施例５の表示装置を正面から眺めた模式図を図１１に示し、上方から眺めた模式図を図１２に示し、画像表示装置の概念図を図１３に示す。【０１０２】
実施例５において、画像表示装置５００を構成する光学装置５２０は、画像形成装置１１１Ａ，１１１Ｂから出射された光が入射される導光部材５２１、及び、導光部材５２１によって導光された光を観察者２０の瞳２１に向かって出射させる半透過ミラー５２２から構成されている。画像形成装置は、実施例２において説明した画像形成装置２１１とすることもできる。半透過ミラー５２２は、平面状であってもよいし、凹面状であってもよい。【０１０３】
導光部材５２１は、第１面１２１Ａ、及び、第１面１２１Ａと対向した第２面１２１Ｂを有する第１基板１２１、
第１面１２２Ａ、及び、第１面１２２Ａと対向した第２面１２２Ｂを有し、第１面１２２Ａが第１基板１２１の第１面１２１Ａと対向して配設された第２基板１２２、
第１基板１２１の第１面１２１Ａに配された偏向手段５２３、
第１基板１２１の第１面１２１Ａの外縁部と第２基板１２２の第１面１２２Ａの外縁部を封止する封止部材１２４、並びに、
第１基板１２１と第２基板１２２と封止部材１２４とによって囲まれた空間内に配置された吸湿部材１３０、
を備えている。【０１０４】
即ち、導光部材５２１は、実施例１の光学装置１２０の第１偏向手段１４１の側、半分から、実質的に構成されている。また、実施例１の光学装置１２０の第２偏向手段１４２の側、半分は、半透過ミラー５２２に置き換えられている。導光部材５２１と半透過ミラー５２２とは、接着剤によって接着されている。【０１０５】
ここで、偏向手段５２３は、吸水性を有する材料から成り、具体的には、実施例１の第１偏向手段１４１と同様に、樹脂材料から成るホログラム回折格子膜から構成されている。【０１０６】
そして、吸湿部材１３０は、第２基板１２２の第１面１２２Ａに配置されている。具体的には、吸湿部材１３０は、第２基板１２２の第１面１２２Ａの全面に貼り合わされている。【０１０７】
尚、吸湿部材１３０は、実施例１の図２の（Ａ）及び（Ｂ）、並びに、図３の（Ａ）及び（Ｂ）に示したと同様に、第１基板１２１の第１面１２１Ａの偏向手段５２３が配された領域（場合によっては、加えて、第１基板の導光領域）以外の領域に配置されていてもよい。即ち、吸湿部材１３０は、偏向手段５２３（場合によっては、加えて、第１基板の導光領域）を取り囲むように、額縁状に配置されていてもよい。吸湿部材１３０と偏向手段５２３との間には、１μｍ以上、隙間が空いていることが望ましい。あるいは又、吸湿部材１３０は、
第２基板１２２の第１面１２２Ａの封止部材１２４の内側に沿った領域、又は、
第１基板１２１の第１面１２１Ａの封止部材１２４の内側に沿った領域、又は、
第２基板１２２の第１面１２２Ａの封止部材１２４の内側に沿った領域、及び、第１基板１２１の第１面１２１Ａの封止部材１２４の内側に沿った領域、
に配置されていてもよい。吸湿部材１３０と封止部材１２４との間には、１μｍ以上、隙間が空いていることが望ましい。【０１０８】
また、実施例１の図４に示したと同様に、第２基板１２２に面した偏向手段５２３の面には保護膜１３２が配されていてもよい。そして、この場合、実施例１と同様に、吸湿部材１３０と保護膜１３２とは同じ材料から成り、吸湿部材１３０の厚さｔ1は保護膜１３２の厚さｔ2よりも厚い形態とすることができる。具体的には、
ｔ2≦１０μｍ
ｔ2＜ｔ1≦１ｍｍ
を満足することが好ましい。【０１０９】
各画像形成装置１１１Ａ，１１１Ｂは、フロント部１１に、例えば、ビスを用いて取り付けられている。また、導光部材５２１が各画像形成装置１１１Ａ，１１１Ｂに取り付けられている。実施例５の表示装置は、以上の相違点を除き、実質的に、実施例１〜実施例４の表示装置と同じ構成、構造を有するので、詳細な説明は省略する。
【実施例６】
【０１１０】
実施例６も、実施例１〜実施例４における画像表示装置の変形である。実施例６の表示装置を上方から眺めた模式図を図１４に示す。尚、図１４において撮像装置１７の図示は省略した。また、実施例６の表示装置における光学装置の一部分の概念図を図１５に示す。【０１１１】
実施例６において、画像表示装置５００を構成する光学装置５３０は、画像形成装置１１１Ａ，１１１Ｂから出射された光が入射される虚像形成部材５３１から構成されている。【０１１２】
虚像形成部材５３１は、第１面１２１Ａ、及び、第１面１２１Ａと対向した第２面１２１Ｂを有する第１基板１２１、
第１面１２２Ａ、及び、第１面１２２Ａと対向した第２面１２２Ｂを有し、第１面１２２Ａが第１基板１２１の第１面１２１Ａと対向して配設された第２基板１２２、
第１基板１２１の第１面１２１Ａに配された偏向手段５３３、
第１基板１２１の第１面１２１Ａの外縁部と第２基板１２２の第１面１２２Ａの外縁部を封止する封止部材１２４、並びに、
第１基板１２１と第２基板１２２と封止部材１２４とによって囲まれた空間内に配置された吸湿部材１３０、
を備えている。【０１１３】
ここで、偏向手段５３３は、吸水性を有する材料から成り、具体的には、樹脂材料から成るホログラム回折格子膜、より具体的には、反射型のホログラム回折格子膜から成る。【０１１４】
そして、吸湿部材１３０は、第２基板１２２の第１面１２２Ａに配置されている。具体的には、吸湿部材１３０は、第２基板１２２の第１面１２２Ａの全面に貼り合わされている。【０１１５】
尚、吸湿部材１３０は、実施例１の図２の（Ａ）及び（Ｂ）、並びに、図３の（Ａ）及び（Ｂ）に示したと同様に、第１基板１２１の第１面１２１Ａの偏向手段５３３が配された領域以外の領域に配置されていてもよい。即ち、吸湿部材１３０は、偏向手段５３３を取り囲むように、額縁状に配置されていてもよい。吸湿部材１３０と偏向手段５３３との間には、１μｍ以上、隙間が空いていることが望ましい。あるいは又、吸湿部材１３０は、
第２基板１２２の第１面１２２Ａの封止部材１２４の内側に沿った領域、又は、
第１基板１２１の第１面１２１Ａの封止部材１２４の内側に沿った領域、又は、
第２基板１２２の第１面１２２Ａの封止部材１２４の内側に沿った領域、及び、第１基板１２１の第１面１２１Ａの封止部材１２４の内側に沿った領域、
に配置されていてもよい。吸湿部材１３０と封止部材１２４との間には、１μｍ以上、隙間が空いていることが望ましい。【０１１６】
また、実施例１の図４に示したと同様に、第２基板１２２に面した偏向手段５３３の面には保護膜１３２が配されていてもよい。そして、この場合、実施例１と同様に、吸湿部材１３０と保護膜１３２とは同じ材料から成り、吸湿部材１３０の厚さｔ1は保護膜１３２の厚さｔ2よりも厚い形態とすることができる。具体的には、
ｔ2≦１０μｍ
ｔ2＜ｔ1≦１ｍｍ
を満足することが好ましい。【０１１７】
各画像形成装置１１１Ａ，１１１Ｂは、フロント部１１に、例えば、ビスを用いて取り付けられている。また、虚像形成部材５３１が各画像形成装置１１１Ａ，１１１Ｂに取り付けられている。画像形成装置は、実質的に、実施例２において説明した画像形成装置２１１とすることができる。実施例６の表示装置は、以上の相違点を除き、実質的に、実施例１〜実施例４の表示装置と同じ構成、構造を有するので、詳細な説明は省略する。【０１１８】
実施例６において、筐体２１３内に配置された光源２５１から出射された光は、図示しない光ファイバの内部を伝播して、例えば、ノーズパッド近傍のフレーム１０の部分１１’に取り付けられた走査手段２５３に入射し、走査手段２５３によって走査された光は偏向手段５３３に入射する。あるいは又、筐体２１３内に配置された光源２５１から出射された光は、図示しない光ファイバの内部を伝播して、例えば、両眼のそれぞれに対応するフレーム１０の部分の上方に取り付けられた走査手段２５３に入射し、走査手段２５３によって走査された光は偏向手段５３３に入射する。あるいは又、筐体２１３内に配置された光源２５１から出射され、筐体２１３内に配置された走査手段２５３に入射し、走査手段２５３によって走査された光は、偏向手段５３３に、直接、入射する。そして、反射型のホログラム回折格子膜から成る偏向手段５３３によって反射された光が観察者の瞳に入射する。
【実施例７】
【０１１９】
実施例７は、実施例１〜実施例６の変形である。画像表示装置の概念図を図１６に示し、表示装置を上方から眺めた模式図を図１７に示し、側方から眺めた模式図を図１８に示すように、実施例７の表示装置にあっては、第１偏向手段１４１，３４１あるいは偏向手段５２３を覆うように、第２基板１２２の第２面１２２Ｂの外側に遮光部材６０１が配置されており、あるいは又、設けられている。ここで、第２基板１２２への第１偏向手段１４１，３４１あるいは偏向手段５２３の正射影像は、第２基板１２２への遮光部材６０１の正射影像に含まれる。更には、第２基板１２２への遮光部材６０１の正射影像内の領域であって、
第２基板１２２の第１面１２２Ａの領域、又は、
第１基板１２１の第１面１２１Ａの第１偏向手段１４１，３４１あるいは偏向手段５２３が配された領域以外の領域、又は、
第２基板１２２の第１面１２２Ａの領域、及び、第１基板１２１の第１面１２１Ａの第１偏向手段１４１，３４１あるいは偏向手段５２３が配された領域以外の領域、
に吸湿部材１３０が配置されている。尚、第１基板の第１基板の導光領域には吸湿部材１３０は配置されていない。【０１２０】
具体的には、例えば、画像形成装置１１１Ａ，１１１Ｂから出射された光が入射される光学装置１２０の領域、具体的には、第１偏向手段１４１が設けられた領域に、光学装置１２０への外光の入射を遮光する遮光部材６０１が配されている。ここで、遮光部材６０１の光学装置１２０への射影像内に、画像形成装置１１１Ａ，１１１Ｂから出射された光が入射される光学装置１２０の領域が含まれる。遮光部材６０１は、光学装置１２０の画像形成装置１１１Ａ，１１１Ｂが配された側とは反対側に、光学装置１２０と離間して配されている。遮光部材６０１は、例えば、不透明なプラスチック材料から作製されており、遮光部材６０１は、画像形成装置１１１Ａ，１１１Ｂの筐体１１３から一体に延び、あるいは又、画像形成装置１１１Ａ，１１１Ｂの筐体１１３に取り付けられ、あるいは又、フレーム１０から一体に延び、あるいは又、フレーム１０に取り付けられ、あるいは又、光学装置１２０に取り付けられている。尚、図示した例では、遮光部材６０１は、画像形成装置１１１Ａ，１１１Ｂの筐体１１３から一体に延びている。このように、画像形成装置から出射された光が入射される光学装置の領域には、光学装置への外光の入射を遮光する遮光部材が配されているので、画像形成装置から出射された光が入射される光学装置の領域、具体的には、第１偏向手段１４１には外光が入射しないので、不所望の迷光等が発生し、表示装置における画像表示品質の低下を招くことが無い。【０１２１】
あるいは又、図１９に示すように、遮光部材６０２は、画像形成装置１１１Ａ，１１１Ｂが配された側とは反対側の光学装置１２０の部分に配されている。具体的には、不透明なインクを、光学装置１２０（具体的には、第２基板１２２の第２面１２２Ｂ）に印刷することで、遮光部材６０２を形成することができる。尚、遮光部材６０１との遮光部材６０２とを組み合わせることもできる。遮光部材６０２を、第２基板１２２の第１面１２２Ａに形成してもよい。
【実施例８】
【０１２２】
実施例８は、実施例１〜実施例７の変形である。実施例８の画像表示装置の概念図を図２０に示し、実施例８の表示装置を上方から眺めた模式図を図２１に示し、側方から眺めた模式図を図２２Ａに示す。また、光学装置及び調光装置の模式的な正面図を図２２Ｂに示し、調光装置の模式的な断面図を図２３Ａに示し、調光装置の模式的な平面図を図２３Ｂに示す。【０１２３】
ここで、実施例８にあっては、第２基板１２２，３２２の第２面側に調光装置７００が配されている。調光装置７００は、外部から入射する外光の光量を調整する。そして、光学装置１２０，３２０，５２０の虚像形成領域は調光装置７００と重なっており、画像形成装置１１１，２１１から出射される光に基づき虚像形成領域の一部分において虚像が形成されるとき、調光装置７００への虚像の投影像が含まれる調光装置７００の虚像投影領域７１１の遮光率が、調光装置７００の他の領域７１２の遮光率よりも高くなるように、調光装置７００が制御される。尚、調光装置７００において虚像投影領域７１１の位置は固定されたものでなく、虚像の形成位置に依存して変化し、また、虚像投影領域７１１の数も、虚像の数（あるいは一連の虚像群の数、ブロック化された虚像群の数等）に依存して変化する。【０１２４】
調光装置７００の動作時、調光装置７００の他の領域７１２の遮光率は、調光装置７００への虚像の投影像が含まれる調光装置７００の虚像投影領域の遮光率を「１」としたとき、例えば、０．９５以下である。あるいは又、調光装置７００の他の領域の遮光率は、例えば、３０％以下である。一方、調光装置７００の動作時、調光装置７００の虚像投影領域７１１の遮光率は、３５％乃至９９％、例えば、８０％とされる。このように、虚像投影領域７１１の遮光率は、一定であってもよいし、後述するように、表示装置の置かれた環境の照度に依存して変化させてもよい。【０１２５】
実施例８あるいは後述する実施例９〜実施例１０において、光学装置１２０，３２０，５２０の画像形成装置１１１，２１１が配された側とは反対側には、外部から入射する外光の光量を調整する一種の光シャッタである調光装置７００が配設されている。そして、第２基板１２２，３２２は、調光装置７００の調光装置用第１基板７０１を兼ねており、これによって、表示装置全体の重量の減少を図ることができ、表示装置の使用者に不快感を感じさせる虞が無い。また、調光装置用第２基板７０３を第２基板１２２よりも薄くすることができる。実施例９〜実施例１０においても同様とすることができる。但し、これに限定するものではなく、第２基板１２２，３２２と調光装置７００の調光装置用第１基板７０１とを、別の部材から構成することもできる。調光装置７００の大きさは、第２基板１２２，３２２と同じであってもよいし、大きくてもよいし、小さくてもよい。要は、調光装置７００の射影像内に虚像形成領域（第２偏向手段１４２，３４２）が位置すればよい。調光装置７００は、観察者２０とは反対側の光学装置１２０，３２０，５２０の領域に配置されている。即ち、観察者側から、光学装置１２０、調光装置７００の順に配されているが、調光装置７００、光学装置１２０，３２０の順に配してもよい。調光装置７００にコネクタ（図示せず）を取り付け、調光装置７００の遮光率を制御するための制御回路（具体的には、制御装置１８）にこのコネクタ及び配線を介して調光装置７００を電気的に接続する。【０１２６】
実施例８あるいは後述する実施例９〜実施例１０において、調光装置７００は、模式的な断面図を図２３Ａに示し、模式的な平面図を図２３Ｂに示すように、
調光装置用第１基板７０１、
調光装置用第１基板７０１と対向する調光装置用第２基板７０３、
調光装置用第２基板７０３と対向する調光装置用第１基板７０１の対向面に設けられた第１透明電極７０２、
調光装置用第１基板７０１と対向する調光装置用第２基板７０３の対向面に設けられた第２透明電極７０４、及び、
第１透明電極７０２と第２透明電極７０４とによって挟まれた調光層７０５、
から成る。そして、
第１透明電極７０２は、第１の方向に延びる複数の帯状の第１透明電極セグメント７０２Ａから構成されており、
第２透明電極７０４は、第１の方向とは異なる第２の方向に延びる複数の帯状の第２透明電極セグメント７０４Ａから構成されており、
第１透明電極セグメント７０２Ａと第２透明電極セグメント７０４Ａの重複領域（調光装置の遮光率が変化する最小単位領域７０８）に対応する調光装置の部分の遮光率の制御は、第１透明電極セグメント７０２Ａ及び第２透明電極セグメント７０４Ａに印加する電圧の制御に基づき行われる。即ち、遮光率の制御を単純マトリクス方式に基づき行われる。第１の方向と第２の方向とは直交しており、具体的には、第１の方向は横方向（Ｘ軸方向）に延び、第２の方向は縦方向（Ｙ軸方向）に延びる。【０１２７】
調光装置用第２基板７０３はプラスチック材料から成る。また、第１透明電極７０２及び第２透明電極７０４は、インジウム−スズ複合酸化物（ＩＴＯ）から構成された透明電極から成り、スパッタリング法といったＰＶＤ法とリフトオフ法との組合せに基づき形成されている。第２透明電極７０４と調光装置用第２基板７０３の間には、ＳｉＮ層、ＳｉＯ2層、Ａｌ2Ｏ3層、ＴｉＯ2層あるいはこれらの積層膜から成る保護層７０６が形成されている。保護層７０６を形成することで、イオンの行き来を阻止するイオン遮断性、防水性、防湿性及び耐傷性を調光装置７００に付与することができる。また、第２基板１２２（調光装置用第１基板７０１）と調光装置用第２基板７０３とは、外縁部において、紫外線硬化型エポキシ樹脂や、紫外線と熱とによって硬化するエポキシ樹脂といった紫外線硬化型樹脂、熱硬化型樹脂から成る封止材７０７によって封止されている。第１透明電極７０２及び第２透明電極７０４は、図示しないコネクタ、配線を介して制御装置１８に接続されている。【０１２８】
調光装置７００の遮光率（光透過率）は、第１透明電極７０２及び第２透明電極７０４に印加する電圧によって制御することができる。具体的には、例えば、第１透明電極７０２を接地した状態で、第２透明電極７０４に電圧を印加すると、調光層７０５の遮光率が変化する。第１透明電極７０２と第２透明電極７０４との間の電位差を制御してもよいし、第１透明電極７０２に印加する電圧と第２透明電極７０４に印加する電圧とを独立に制御してもよい。【０１２９】
尚、調光装置７００における虚像形成領域（第２偏向手段１４２，３４２）の横方向の画素数をＭ0、縦方向の画素数をＮ0としたとき、調光装置７００の遮光率が変化する最小単位領域７０８の数Ｍ1×Ｎ1は、例えば、Ｍ0＝Ｍ1，Ｎ0＝Ｎ1である。但し、これに限定するものではなく、Ｍ1／Ｍ0＝ｋ，Ｎ1／Ｎ0＝ｋ’としたとき（但し、ｋ，ｋ’は正の整数）、１．１≦ｋ、好ましくは１．１≦ｋ≦１．５、より好ましくは１．１５≦ｋ≦１．３、１．１≦ｋ’、好ましくは１．１≦ｋ’≦１．５、より好ましくは１．１５≦ｋ’≦１．３を満足する形態とすることができる。ｋの値とｋ’の値とは、同じであってもよいし、異なっていてもよく、実施例においては、ｋ＝ｋ’＝１とした。【０１３０】
実施例８あるいは後述する実施例９〜実施例１０において、調光装置７００は、エレクトロクロミック材料の酸化還元反応によって発生する物質の色変化を応用した光シャッタから成る。具体的には、調光層はエレクトロクロミック材料を含む。より具体的には、調光層は、第２透明電極側から、ＷＯ3層７０５Ａ／Ｔａ2Ｏ5層７０５Ｂ／ＩｒXＳｎ1-XＯ層７０５Ｃの積層構造を有する。ＷＯ3層７０５Ａは還元発色する。また、Ｔａ2Ｏ5層７０５Ｂは固体電解質を構成し、ＩｒXＳｎ1-XＯ層７０５Ｃは酸化発色する。【０１３１】
ＩｒXＳｎ1-XＯ層中では、ＩｒとＨ2Ｏとが反応して、水酸化イリジウムＩｒ（ＯＨ）nとして存在する。第２透明電極７０４に負の電位を、第１透明電極７０２に正の電位を加えると、ＩｒXＳｎ1-XＯ層からＴａ2Ｏ5層へのプロトンＨ+の移動、第１透明電極７０２への電子放出が生じ、次の酸化反応が進んで、ＩｒXＳｎ1-XＯ層は着色する。
Ｉｒ（ＯＨ）n  →  ＩｒＯX（ＯＨ）n-X（着色）  ＋  Ｘ・Ｈ+  ＋  Ｘ・ｅ-【０１３２】
一方、Ｔａ2Ｏ5層中のプロトンＨ+がＷＯ3層中へ移動し、第２透明電極７０４から電子がＷＯ3層に注入され、ＷＯ3層では、次の還元反応が進んでＷＯ3層は着色する。
ＷＯ3  ＋  Ｘ・Ｈ+  ＋  Ｘ・ｅ-  →  ＨXＷＯ3（着色）【０１３３】
これとは逆に、第２透明電極７０４に正の電位を、第１透明電極７０２に負の電位を加えると、ＩｒXＳｎ1-XＯ層では、上記と逆向きに還元反応が進み、消色し、ＷＯ3層では、上記と逆向きに酸化反応が進み、消色する。尚、Ｔａ2Ｏ5層にはＨ2Ｏが含まれており、第１透明電極、第２透明電極に電圧を印加することで電離し、プロトンＨ+、ＯＨ-イオンの状態が含まれ、着色反応及び消色反応に寄与している。【０１３４】
実施例８あるいは後述する実施例９〜実施例１０において、例えば、図２４に示すような外界を、遮光率の低い状態の調光装置７００及び光学装置１２０，３２０，５２０を通して観察者が眺めていたとする。そして、観察者は、例えば、「駅にどうやって行けばよいか」の情報の入手を欲したとする。【０１３５】
この場合、画像表示装置１００，２００，３００，４００，５００において表示する画像に関する情報やデータ、あるいは又、受信装置が受け取るべき信号は、例えば、所謂クラウドコンピュータやサーバーに記録、保管、保存されており、表示装置が通信手段（送受信装置）、例えば、携帯電話機やスマートフォンを備えることによって、あるいは又、制御装置（制御回路、制御手段）１８に通信手段（受信装置）を組み込むことで、通信手段を介してクラウドコンピュータやサーバーと表示装置との間での各種情報やデータ、信号の授受、交換を行うことができるし、各種情報やデータに基づく信号、即ち、画像表示装置１００，２００，３００，４００，５００において画像を表示するための信号を受け取ることができるし、受信装置は信号を受け取ることができる。【０１３６】
具体的には、観察者が、携帯電話機やスマートフォンに、入手すべき情報としての「駅に関する情報」を要求する旨の入力を行うと、携帯電話機やスマートフォンは、クラウドコンピュータやサーバーにアクセスし、「駅に関する情報」をクラウドコンピュータやサーバーから入手する。こうして、制御装置１８は、画像表示装置１００，２００，３００，４００，５００において画像を表示するための信号を受け取る。制御装置１８にあっては、この信号に基づいて周知の画像処理を行い、画像形成装置１１１，２１１に「駅に関する情報」を画像として表示する。この「駅に関する情報」を画像は、光学装置１２０，３２０，５２０において、画像形成装置１１１，２１１から出射される光に基づき、制御装置１８によって制御された所定の位置に虚像として表示される。即ち、虚像形成領域（第２偏向手段１４２，３４２）の一部分において虚像が形成される。そして、調光装置７００への虚像の投影像が含まれる調光装置７００の虚像投影領域７１１の遮光率が、調光装置７００の他の領域７１２の遮光率よりも高くなるように、調光装置７００が制御される（図２５Ｂ参照）。具体的には、制御装置１８によって、第１透明電極７０２及び第２透明電極７０４に印加される電圧を制御する。ここで、画像形成装置１１１，２１１において画像を表示するための信号に基づき、調光装置７００の虚像投影領域７１１の大きさ及び位置が決定される。【０１３７】
場合によっては、画像表示装置１００，２００，３００，４００，５００において画像を表示するための信号が、表示装置（具体的には、制御装置１８、より具体的には、画像情報記憶装置１８Ａ）に記憶されていてもよい。【０１３８】
あるいは又、表示装置に備えられた撮像装置１７によって撮像された画像を通信手段を介してクラウドコンピュータやサーバーに送出し、クラウドコンピュータやサーバーにおいて撮像装置１７によって撮像された画像に該当する各種情報やデータを検索し、検索された各種情報やデータを通信手段を介して表示装置に送出し、検索された各種情報やデータを画像表示装置１００，２００，３００，４００，５００において画像を表示してもよい。また、このような形態と「駅に関する情報」の入力を併用すれば、例えば、観察者のいる場所等や観察者がどの方向を向いているか等の情報を加重することができるので、一層高い精度で、「駅に関する情報」を画像形成装置１１１，２１１において表示することができる。【０１３９】
画像形成装置１１１，２１１から出射された光に基づき光学装置１２０，３２０，５２０に虚像が形成される（図２５Ｂ参照）前に、調光装置７００の虚像投影領域７１１の遮光率が増加される（図２５Ａ参照）形態を採用してもよい。調光装置７００の虚像投影領域７１１の遮光率が増加されてから虚像が形成されるまでの時間として、０．５秒乃至３０秒を例示することができるが、この値に限定するものではない。このように、予め、虚像が光学装置のどの位置に、いつ、形成されるかを観察者は知ることができるので、観察者の虚像視認性の向上を図ることができる。調光装置７００の虚像投影領域７１１の遮光率は、時間の経過に従い、順次、増加する形態とすることができる。即ち、所謂フェードイン状態とすることができる。【０１４０】
虚像が形成されていない場合、調光装置７００全体の遮光率を、調光装置７００の他の領域の遮光率と同じ値とすればよい。虚像の形成が終了し、虚像が消滅したとき、調光装置７００への虚像の投影像が含まれていた調光装置７００の虚像投影領域７１１の遮光率を、直ちに、調光装置７００の他の領域の遮光率と同じ値としてもよいが、経時的に（例えば、３秒間で）調光装置７００の他の領域の遮光率と同じ値となるように制御してもよい。即ち、所謂フェードアウト状態とすることができる。【０１４１】
画像形成装置１１１，２１１から出射された光に基づき光学装置１２０，３２０，５２０に一の虚像が形成され、次いで、一の虚像と異なる次の虚像が形成される場合を想定する。この場合、一の虚像に対応する調光装置７００の虚像投影領域７１１の面積をＳ1、次の虚像に対応する調光装置７００の虚像投影領域７１１の面積をＳ2としたとき、
Ｓ2／Ｓ1＜０．８、又は、１＜Ｓ2／Ｓ1の場合、次の虚像が形成される調光装置７００の虚像投影領域７１１は、調光装置７００への次の虚像の投影像が含まれる調光装置７００の領域であり（図２６Ａ、図２６Ｂ及び図２６Ｃ参照）、
０．８≦Ｓ2／Ｓ1≦１の場合、次の虚像が形成される調光装置７００の虚像投影領域７１１は、調光装置７００への一の虚像の投影像が含まれた調光装置７００の領域である形態とすることができる。即ち、一の虚像の形成から次の虚像の形成において、虚像投影領域の面積が０％減乃至２０％減の場合には、一の虚像に対応した虚像投影領域を保持する形態とすることができる（即ち、図２６Ａに示した状態のままとする）。【０１４２】
また、図２７に示すように、光学装置１２０，３２０，５２０に形成される虚像に外接する仮想矩形１４２Ａ，３４２Ａを想定したとき、調光装置７００の虚像投影領域７１１は、仮想矩形１４２Ａ，３４２Ａよりも大きい構成とすることができる。そして、この場合、光学装置１２０，３２０，５２０に形成される虚像に外接する仮想矩形１４２Ａ，３４２Ａの横方向及び縦方向の長さをＬ1-T及びＬ1-Lとし、調光装置７００の虚像投影領域７１１の形状を、横方向及び縦方向の長さがＬ2-T及びＬ2-Lの矩形形状としたとき、
１．０≦Ｌ2-T／Ｌ1-T≦１．５
１．０≦Ｌ2-L／Ｌ1-L≦１．５
を満足することが好ましい。尚、図２７においては、虚像として、「ＡＢＣＤ」が形成されている状態を示す。【０１４３】
調光装置７００は、常時、動作状態にあってもよいし、観察者の指示（操作）によって動作／不動作（オン／オフ）状態が規定されてもよいし、通常は不動作状態にあり、画像表示装置１００，２００，３００，４００，５００において画像を表示するための信号に基づき、動作を開始してもよい。観察者の指示（操作）によって動作／不動作状態を規定するためには、例えば、表示装置はマイクロフォンを更に備えており、マイクロフォンを介した音声入力によって、調光装置７００の動作の制御を行えばよい。具体的には、観察者の肉声に基づく指示によって、調光装置７００の動作／不動作の切替えを制御すればよい。あるいは又、入手すべき情報を音声入力によって入力してもよい。あるいは又、表示装置は、赤外線入出射装置を更に備えており、赤外線入出射装置によって、調光装置７００の動作の制御を行えばよい。具体的には、赤外線入出射装置によって、観察者の瞬きを検出することで、調光装置７００の動作／不動作の切替えを制御すればよい。【０１４４】
以上のとおり、実施例８の表示装置にあっては、画像形成装置から出射される光に基づき虚像形成領域の一部分において虚像が形成されるとき、調光装置への虚像の投影像が含まれる調光装置の虚像投影領域の遮光率が調光装置の他の領域の遮光率よりも高くなるように調光装置が制御されるので、観察者が観察する虚像に高いコントラストを与えることができ、しかも、高遮光率の領域が調光装置全体ではなく、調光装置への虚像の投影像が含まれる調光装置の虚像投影領域といった狭い領域のみが高遮光率の領域となるので、表示装置を使用する観察者は外部環境を、確実に、且つ、安全に認識することができる。【０１４５】
フレームは、観察者の正面に配置されるフロント部、フロント部の両端に蝶番を介して回動自在に取り付けられた２つのテンプル部、及び、ノーズパッドを備えており；調光装置７００はフロント部に配設されている形態とすることができる。また、光学装置は調光装置７００に取り付けられている形態とすることができる。尚、光学装置は、密着した状態で調光装置７００に取り付けられていてもよいし、隙間を開けた状態で調光装置７００に取り付けられていてもよい。更には、これらの場合、前述したとおり、フロント部はリムを有し；調光装置７００がリムに嵌め込まれている形態とすることができるし、あるいは又、第２基板１２２（調光装置用第１基板７０１）及び調光装置用第２基板７０３の少なくとも一方がリムに嵌め込まれている形態とすることができるし、調光装置７００及び第１基板１２１，３２１がリムに嵌め込まれている形態とすることができるし、第１基板１２１，３２１がリムに嵌め込まれている形態とすることができる。【０１４６】
調光層７０５を、液晶表示装置から成る光シャッタから構成することもできる。この場合、具体的には、調光層７０５を、例えば、ＴＮ（ツイステッド・ネマチック）型液晶材料やＳＴＮ（スーパー・ツイステッド・ネマチック）型液晶材料から成る液晶材料層から構成することができる。第１透明電極７０２及び第２透明電極７０４はパターニングされており、調光装置７００の一部の領域７１２の遮光率（光透過率）を、他の領域の遮光率とは異なった状態に変化させることができる。あるいは又、第１透明電極７０２及び第２透明電極７０４のいずれか一方をパターニングされていない所謂ベタ電極とし、他方をパターニングし、他方をＴＦＴに接続する。そして、調光装置７００の遮光率が変化する最小単位領域７０８の遮光率の制御をＴＦＴによって行う。即ち、遮光率の制御をアクティブマトリクス方式に基づき行ってもよい。アクティブマトリクス方式に基づく遮光率の制御は、実施例８あるいは後述する実施例９〜実施例１０において説明する調光装置７００に適用することができることは云うまでもない。【０１４７】
また、エレクトロウェッティング現象によって遮光率（光透過率）を制御する光シャッタを用いることもできる。具体的には、第１透明電極及び第２透明電極を設け、第１透明電極と第２透明電極との間は、絶縁性の第１の液体、及び、導電性の第２の液体で満たされている構造とする。そして、第１透明電極と第２透明電極との間に電圧を印加することで、第１の液体と第２の液体によって形成される界面の形状が、例えば、平面状から湾曲した状態に変化することで、遮光率（光透過率）を制御することができる。あるいは又、金属（例えば、銀粒子）の可逆的な酸化還元反応によって発生する電着・解離現象に基づく電着方式（エレクトロデポジション・電界析出）を応用した光シャッタを用いることもできる。具体的には、有機溶剤中にＡｇ+及びＩ-を溶解しておき、電極に適切な電圧を印加することで、Ａｇ+を還元してＡｇを析出させることで、調光装置の遮光率（光透過率）を低くし、一方、Ａｇを酸化してＡｇ+として溶解させることで、調光装置の遮光率（光透過率）を高くする。【０１４８】
場合によっては、調光装置を通過する光を、調光装置によって所望の色に着色する構成とすることができ、この場合、調光装置によって着色される色を可変とすることができる。具体的には、例えば、赤色に着色される調光装置と、緑色に着色される調光装置と、青色に着色される調光装置とを積層すればよい。【０１４９】
光学装置の光が出射される領域に、調光装置が着脱自在に配設されていてもよい。このように、調光装置を着脱自在に配設するためには、例えば、透明なプラスチックから作製されたビスを用いて調光装置を光学装置に取り付け、調光装置の光透過率を制御するための制御回路（例えば、画像形成装置を制御するための制御装置１８に含まれている）にコネクタ及び配線を介して接続すればよい。
【実施例９】
【０１５０】
実施例９は、実施例８の変形である。実施例９の表示装置を上方から眺めた模式図を図２８Ａに示す。また、環境照度測定センサを制御する回路の模式図を図２８Ｂに示す。【０１５１】
実施例９の表示装置は、表示装置の置かれた環境の照度を測定する環境照度測定センサ７２１を更に備えており、環境照度測定センサ７２１の測定結果に基づき、調光装置７００の遮光率を制御する。併せて、あるいは、独立して、環境照度測定センサ７２１の測定結果に基づき、画像形成装置１１１，２１１によって形成される画像の輝度を制御する。周知の構成、構造を有する環境照度測定センサ７２１は、例えば、光学装置１２０，３２０の外側端部や、調光装置７００の外側端部に配置すればよい。環境照度測定センサ７２１は、図示しないコネクタ及び配線を介して制御装置１８に接続されている。制御装置１８には、環境照度測定センサ７２１を制御する回路が含まれる。この環境照度測定センサ７２１を制御する回路は、環境照度測定センサ７２１からの測定値を受け取り、照度を求める照度演算回路、照度演算回路によって求められた照度の値を標準値の比較する比較演算回路、比較演算回路によって求められた値に基づき、調光装置７００及び／又は画像形成装置１１１，２１１を制御する環境照度測定センサ制御回路から構成されているが、これらの回路は周知の回路から構成することができる。調光装置７００の制御にあっては、調光装置７００の遮光率の制御を行い、一方、画像形成装置１１１，２１１の制御にあっては、画像形成装置１１１，２１１によって形成される画像の輝度の制御を行う。尚、調光装置７００における遮光率の制御と画像形成装置１１１，２１１における画像の輝度の制御は、それぞれ、独立して行ってもよいし、相関を付けて行ってもよい。【０１５２】
例えば、環境照度測定センサ７２１の測定結果が所定値（第１の照度測定値）以上になったとき、調光装置７００の遮光率を所定の値（第１の遮光率）以上とする。一方、環境照度測定センサ７２１の測定結果が所定値（第２の照度測定値）以下になったとき、調光装置７００の遮光率を所定の値（第２の遮光率）以下とする。ここで、第１の照度測定値として１０ルクスを挙げることができるし、第１の遮光率として９９％乃至７０％のいずれかの値を挙げることができるし、第２の照度測定値として０．０１ルクスを挙げることができるし、第２の遮光率として４９％乃至１％のいずれかの値を挙げることができる。【０１５３】
尚、実施例９における環境照度測定センサ７２１を、実施例１〜実施例７において説明した表示装置に適用することができる。また、表示装置が撮像装置１７を備えている場合、撮像装置１７に備えられた露出測定用の受光素子から環境照度測定センサ７２１を構成することもできる。【０１５４】
実施例９あるいは次に述べる実施例１０の表示装置にあっては、環境照度測定センサの測定結果に基づき、調光装置の遮光率を制御し、また、環境照度測定センサの測定結果に基づき、画像形成装置によって形成される画像の輝度を制御し、また、透過光照度測定センサの測定結果に基づき、調光装置の遮光率を制御し、また、透過光照度測定センサの測定結果に基づき、画像形成装置によって形成される画像の輝度を制御するので、観察者が観察する虚像に高いコントラストを与えることができるだけでなく、表示装置の置かれた周囲の環境の照度に依存して虚像の観察状態の最適化を図ることができる。
【実施例１０】
【０１５５】
実施例１０も、実施例８の変形である。実施例１０の表示装置を上方から眺めた模式図を図２９Ａに示す。また、透過光照度測定センサを制御する回路の模式図を図２９Ｂに示す。【０１５６】
実施例１０の表示装置は、外部環境から調光装置を透過した光に基づく照度を測定する、即ち、環境光が調光装置を透過して所望の照度まで調整されて入射しているかを測定する透過光照度測定センサ７２２を更に備えており、透過光照度測定センサ７２２の測定結果に基づき、調光装置７００の遮光率を制御する。併せて、あるいは、独立して、また、透過光照度測定センサ７２２の測定結果に基づき、画像形成装置１１１，２１１によって形成される画像の輝度を制御する。周知の構成、構造を有する透過光照度測定センサ７２２は、光学装置１２０，３２０，５２０よりも観察者側に配置されている。具体的には、透過光照度測定センサ７２２は、例えば、筐体１１３，２１３の内側面や、第１基板１２１，３２１の観察者側の面に配置すればよい。透過光照度測定センサ７２２は、図示しないコネクタ及び配線を介して制御装置１８に接続されている。制御装置１８には、透過光照度測定センサ７２２を制御する回路が含まれる。この透過光照度測定センサ７２２を制御する回路は、透過光照度測定センサ７２２からの測定値を受け取り、照度を求める照度演算回路、照度演算回路によって求められた照度の値を標準値の比較する比較演算回路、比較演算回路によって求められた値に基づき、調光装置７００及び／又は画像形成装置１１１，２１１を制御する透過光照度測定センサ制御回路から構成されているが、これらの回路は周知の回路から構成することができる。調光装置７００の制御において、調光装置７００の遮光率の制御を行い、一方、画像形成装置１１１，２１１の制御において、画像形成装置１１１，２１１によって形成される画像の輝度の制御を行う。尚、調光装置７００における遮光率の制御と画像形成装置１１１，２１１における画像の輝度の制御は、それぞれ、独立して行ってもよいし、相関を付けて行ってもよい。更に、透過光照度測定センサ７２２の測定結果が環境照度測定センサ７２１の照度から鑑みて所望の照度まで制御できていない場合、即ち、透過光照度測定センサ７２２の測定結果が所望の照度になっていない場合、若しくは、更に一層の微妙な照度調整が望まれる場合には、透過光照度測定センサ７２２の値をモニターしながら調光装置の遮光率を調整すればよい。透過光照度測定センサを、少なくとも２つ、配置し、高遮光率の部分を通過した光に基づく照度の測定、低遮光率の部分を通過した光に基づく照度の測定を行ってもよい。【０１５７】
尚、実施例１０における透過光照度測定センサ７２２を、実施例１〜実施例７において説明した表示装置に適用することができる。あるいは又、実施例１０における透過光照度測定センサ７２２と実施例９における環境照度測定センサ７２１とを組み合わせてもよく、この場合、種々の試験を行い、調光装置７００における遮光率の制御と画像形成装置１１１，２１１における画像の輝度の制御を、それぞれ、独立して行ってもよいし、相関を付けて行ってもよい。右眼用の調光装置と左眼用の調光装置のそれぞれにおいて、第１透明電極及び第２透明電極に印加する電圧を調整することで、右眼用の調光装置における遮光率及び左眼用の調光装置における遮光率の均等化を図ることができる。第１透明電極と第２透明電極との間の電位差を制御してもよいし、第１透明電極に印加する電圧と第２透明電極に印加する電圧とを独立に制御してもよい。右眼用の調光装置における遮光率及び左眼用の調光装置における遮光率は、例えば、透過光照度測定センサ７２２の測定結果に基づき、制御することができるし、あるいは又、観察者が、右眼用の調光装置及び光学装置を通過した光の明るさ及び左眼用の調光装置及び光学装置を通過した光の明るさを観察し、観察者が、スイッチやボタン、ダイアル、スライダ、ノブ等を操作することで手動にて制御、調整することもできる。
【実施例１１】
【０１５８】
実施例１１は、実施例８〜実施例１３の変形であり、実施例１１にあっては、調光層を電気泳動分散液から構成した。以下、電気泳動分散液の調製方法を説明する。【０１５９】
先ず、最初に、電気泳動粒子としてのカーボンブラック（三菱化学株式会社製＃４０）の１０グラムを純水１リットルに加えて攪拌した後、３７質量％の塩酸１ｃｍ3及び４−ビニルアニリン０．２グラムを加えて溶液−Ａを調製した。一方、亜硝酸ナトリウム０．３グラムを純水１０ｃｍ3に溶解させた後、４０゜Ｃまで加熱して、溶液−Ｂを調製した。そして、溶液−Ａに溶液−Ｂをゆっくり加えて、１０時間攪拌した。その後、反応により得られた生成物を遠心分離して固形物を得た。次いで、固形物を純水で洗浄し、更に、アセトン中に分散させた後、遠心分離するといった方法で洗浄した。その後、固形物を、温度５０゜Ｃの真空乾燥機で一晩乾燥させた。【０１６０】
次いで、窒素パージ装置、電磁攪拌棒及び還流カラムが取り付けられた反応フラスコ中に、固形物５グラムと、トルエン１００ｃｍ3と、メタクリル酸２−エチルヘキシル１５ｃｍ3と、アゾビスイソブチルニトリル（ＡＩＢＮ）０．２グラムとを入れて混合した。そして、攪拌しながら反応フラスコを窒素ガスで３０分間パージした。その後、反応フラスコを油浴に投入し、連続攪拌しながら８０゜Ｃまで徐々に加熱し、この状態を１０時間維持した。その後、室温まで冷却し、固形物を遠心分離し、固形物をテトラヒドロフラン（ＴＨＦ）及び酢酸エチルと一緒に遠心分離するといった操作を３回行って固形物を洗浄した後、固形物を取り出して５０゜Ｃの真空乾燥機で一晩乾燥した。これにより、茶色の電気泳動粒子４．７グラムを得た。【０１６１】
一方、絶縁性液体である分散液（分散媒）として、Ｎ，Ｎ−ジメチルプロパン−１，３−ジアミン、１，２−ヒドロキシオクタデカン酸及びメトキシスルホニルオキシメタン（日本ルーブリゾール株式会社製ソルスパース１７０００）を０．５％含むと共にソルビタントリオレエート（スパン８５）を１．５％含むアイソパーＧ（エクソンモービル有限会社社製）溶液を準備した。そして、分散媒９．９グラムに電気泳動粒子０．１グラムを加えて、ビーズミルで５分間攪拌した。その後、混合液を遠心分離機（回転速度＝２０００ｒｐｍ）で５分間、遠心分離した後、ビーズを取り除いた。こうして、電気泳動分散液を得ることができた。尚、電気泳動粒子は正に帯電している。【０１６２】
実施例１１における調光装置７００にあっては、第２基板１２２（調光装置用第１基板７０１）及び調光装置用第２基板７０３の間の間隔を５０μｍとした。第１透明電極７０２及び第２透明電極７０４は、インジウム−スズ複合酸化物（ＩＴＯ）から構成されており、スパッタリング法といったＰＶＤ法とリフトオフ法との組合せに基づき形成されている。第１透明電極７０２は、櫛形電極状にパターニングされている。一方、第２透明電極７０４はパターニングされておらず、所謂ベタ電極である。第１透明電極７０２及び第２透明電極７０４は、図示しないコネクタ、配線を介して制御装置１８に接続されている。【０１６３】
調光装置７００の遮光率（光透過率）は、第１透明電極７０２及び第２透明電極７０４に印加する電圧によって制御することができる。具体的には、第１透明電極７０２に相対的に正の電圧を印加し、第２透明電極７０４に相対的に負の電圧を印加すると、正に帯電している電気泳動粒子は第２透明電極７０４を覆うように泳動する。従って、調光装置７００における遮光率は高い値となる。一方、これとは逆に、第１透明電極７０２に相対的に負の電圧を印加し、第２透明電極７０４に相対的に正の電圧を印加すると、電気泳動粒子は第１透明電極７０２を覆うように泳動する。従って、調光装置７００における遮光率は低い値となる。第１透明電極７０２及び第２透明電極７０４に印加する電圧は制御装置１８に設けられた制御ノブを観察者が操作することにより行うことができる。即ち、光学装置１２０，３２０からの虚像を観察者が観察し、調光装置７００の遮光率を調整することで、虚像のコントラスト向上を図ればよい。
【実施例１２】
【０１６４】
実施例１２は、実施例１１の変形である。実施例１１にあっては、調光装置７００によって着色される色を、黒色の固定色とした。一方、実施例１２にあっては、調光装置を通過する光は、調光装置によって所望の色に着色され、しかも、調光装置によって着色される色は可変である。具体的には、調光装置は、赤色に着色される調光装置と、黄色に着色される調光装置と、青色に着色される調光装置とが積層されて成る。ここで、赤色に着色される調光装置における電気泳動分散液は、電気泳動粒子として、スチレン系樹脂とＣ．Ｉ．Ｐｉｇｍｅｎｔ Ｒｅｄ １２２とをヘンシェルミキサーにより予備混合した後、二軸押出機で溶融混練し、冷却後、ハンマーミルを用いて粗粉砕し、次いで、ジェットミルを用いて微粉砕した粒子を、Ｎ，Ｎ−ジメチルプロパン−１，３−ジアミン、１，２−ヒドロキシオクタデカン酸及びメトキシスルホニルオキシメタン（日本ルーブリゾール株式会社製ソルスパース１７０００）を０．５％含むと共にソルビタントリオレエート（スパン８５）を１．５％含むアイソパーＧ（エクソンモービル有限会社社製）溶液に分散させて得られた分散液から構成されている。また、黄色に着色される調光装置における電気泳動分散液は、電気泳動粒子として、スチレン系樹脂とＣ．Ｉ．Ｐｉｇｍｅｎｔ Ｙｅｌｌｏｗ  １２とをヘンシェルミキサーにより予備混合した後、二軸押出機で溶融混練し、冷却後、ハンマーミルを用いて粗粉砕し、次いで、ジェットミルを用いて微粉砕した粒子を、Ｎ，Ｎ−ジメチルプロパン−１，３−ジアミン、１，２−ヒドロキシオクタデカン酸及びメトキシスルホニルオキシメタン（日本ルーブリゾール株式会社製ソルスパース１７０００）を０．５％含むと共にソルビタントリオレエート（スパン８５）を１．５％含むアイソパーＧ（エクソンモービル有限会社社製）溶液に分散させて得られた分散液から構成されている。更には、青色に着色される調光装置における電気泳動分散液は、電気泳動粒子として、スチレン系樹脂とＣ．Ｉ．Ｐｉｇｍｅｎｔ Ｂｌｕｅ １とをヘンシェルミキサーにより予備混合した後、二軸押出機で溶融混練し、冷却後、ハンマーミルを用いて粗粉砕し、次いで、ジェットミルを用いて微粉砕した粒子を、Ｎ，Ｎ−ジメチルプロパン−１，３−ジアミン、１，２−ヒドロキシオクタデカン酸及びメトキシスルホニルオキシメタン（日本ルーブリゾール株式会社製ソルスパース１７０００）を０．５％含むと共にソルビタントリオレエート（スパン８５）を１．５％含むアイソパーＧ（エクソンモービル有限会社社製）溶液に分散させて得られた分散液から構成されている。そして、各調光装置における電極への電圧の印加を制御することで、３層の調光装置から出射される外光に所望の色を着色することができる。【０１６５】
以上の点を除き、実施例１２の表示装置の構成、構造は、実施例１１において説明した表示装置の構成、構造と同様とすることができるので、詳細な説明は省略する。
【実施例１３】
【０１６６】
実施例１３は、実施例１〜実施例１２の変形である。実施例１３にあっては、図３０に示すように、第１基板１２１の第１面１２１Ａに第１偏向手段Ａ（１４１Ａ）を配し、第１基板１２１の第２面１２１Ｂに第１偏向手段Ｂ（１４１Ｂ）を配し、第１基板１２１の第２面１２１Ｂを覆うように第３基板１２３を設ける。第１基板１２１の第２面１２１Ｂの外縁部と第３基板１２３の第１面１２３Ａの外縁部を封止部材１２５によって封止する。また、第１基板１２１と第３基板１２３と封止部材１２５とによって囲まれた空間内に吸湿部材１３０を配置する。【０１６７】
具体的には、偏向手段は、第１偏向手段Ａ（１４１Ａ）、第１偏向手段Ｂ（１４１Ｂ）、第２変更手段１４２から構成されており、
第１偏向手段Ａ（１４１Ａ）を構成する反射型の体積ホログラム回折格子膜の内部には、第１Ａの干渉縞が形成されており、
第１偏向手段Ｂ（１４１Ｂ）を構成する反射型の体積ホログラム回折格子膜の内部には、第１Ｂの干渉縞が形成されており、
第２偏向手段１４２を構成する反射型の体積ホログラム回折格子膜の内部には、第２の干渉縞が形成されており、
φ1A＜φ2＜φ1B、及び、Ｐ1A＝Ｐ2＝Ｐ1B
の関係を満足する形態とすることができる。ここで、
φ1A：第１Ａの干渉縞のスラント角
φ1B：第１Ｂの干渉縞のスラント角
φ2 ：第２の干渉縞のスラント角
Ｐ1A：第１Ａの干渉縞のピッチ
Ｐ1B：第１Ｂの干渉縞のピッチ
Ｐ2 ：第２の干渉縞のピッチ
である。【０１６８】
あるいは又、
λ1A＜λ2＜λ1B
の関係を満足する形態とすることができる。
ここで、
λ1A：第１基板に入射され、第１偏向手段Ａによって偏向される光のピーク波長
λ1B：第１基板に入射され、第１偏向手段Ｂによって偏向される光のピーク波長
λ2 ：第１偏向手段Ａ及び第１偏向手段Ｂによって偏向され、第１基板の内部を全反射により伝播し、第２偏向手段によって偏向される光のピーク波長
である。【０１６９】
以上の点を除き、このような実施例１３の光学装置、あるいは、このような実施例１３の光学装置を備えた実施例１３の画像表示装置、実施例１３の表示装置は、実施例１〜実施例１２において説明した画像表示装置、表示装置と同様の構成、構造とすることができるので詳細な説明は省略する。【０１７０】
以上、本開示を好ましい実施例に基づき説明したが、本開示はこれらの実施例に限定するものではない。実施例において説明した表示装置（頭部装着型ディスプレイ）、画像表示装置、光学装置の構成、構造は例示であり、適宜変更することができる。例えば、第１基板（導光板）に表面レリーフ型ホログラム（米国特許第２００４００６２５０５Ａ１参照）を配置してもよい。光学装置１２０にあっては、偏向手段を透過型のホログラム回折格子膜から構成することもできるし、あるいは又、第１偏向手段及び第２偏向手段の内のいずれか一方を反射型のホログラム回折格子膜から構成し、他方を透過型のホログラム回折格子膜から構成する形態とすることもできる。あるいは又、偏向手段を、反射型ブレーズド回折格子膜とすることもできる。本開示の表示装置は、立体視ディスプレイ装置として用いることもできる。この場合、必要に応じて、光学装置に偏光板や偏光フィルムを着脱自在に取り付け、あるいは、光学装置に偏光板や偏光フィルムを貼り合わせればよい。【０１７１】
実施例においては、画像形成装置１１１，２１１は、単色（例えば、緑色）の画像を表示するとして説明したが、画像形成装置１１１，２１１はカラー画像を表示することもでき、この場合、光源を、例えば、赤色、緑色、青色のそれぞれを出射する光源から構成すればよい。具体的には、例えば、赤色発光素子、緑色発光素子、青色発光素子のそれぞれから出射された赤色光、緑色光及び青色光をライトパイプを用いて混色、輝度均一化を行うことで白色光を得ればよい。【０１７２】
尚、本開示は、以下のような構成を取ることもできる。
［Ａ０１］《光学装置》
第１面、及び、第１面と対向した第２面を有する第１基板、
第１面、及び、第１面と対向した第２面を有し、第１面が第１基板の第１面と対向して配設された第２基板、
第１基板の第１面に配された偏向手段、
第１基板の第１面の外縁部と第２基板の第１面の外縁部を封止する封止部材、並びに、
第１基板と第２基板と封止部材とによって囲まれた空間内に配置された吸湿部材、
を備えている光学装置。
［Ａ０２］吸湿部材は、第２基板の第１面に配置されている［Ａ０１］に記載の光学装置。
［Ａ０３］吸湿部材は、第２基板の第１面の全面に貼り合わされている［Ａ０２］に記載の光学装置。
［Ａ０４］吸湿部材は、第１基板の第１面の偏向手段が配された領域以外の領域に配置されている［Ａ０１］乃至［Ａ０３］のいずれか１項に記載の光学装置。
［Ａ０５］吸湿部材は、第２基板の第１面の封止部材の内側に沿った領域、又は、第１基板の第１面の封止部材の内側に沿った領域、又は、第２基板の第１面の封止部材の内側に沿った領域及び第１基板の第１面の封止部材の内側に沿った領域に配置されている［Ａ０１］に記載の光学装置。
［Ａ０６］偏向手段を覆うように、第２基板の第２面の外側に遮光部材が配置されている［Ａ０１］に記載の光学装置。
［Ａ０７］第２基板への偏向手段の正射影像は、第２基板への遮光部材の正射影像に含まれる［Ａ０６］に記載の光学装置。
［Ａ０８］第２基板への遮光部材の正射影像内の領域であって、第２基板の第１面の領域、又は、第１基板の第１面の偏向手段が配された領域以外の領域、又は、第２基板の第１面の領域及び第１基板の第１面の偏向手段が配された領域以外の領域に、吸湿部材が配置されている［Ａ０６］又は［Ａ０７］に記載の光学装置。
［Ａ０９］偏向手段は、吸水性を有する材料から成る［Ａ０１］乃至［Ａ０８］のいずれか１項に記載の光学装置。
［Ａ１０］偏向手段は、樹脂材料から成るホログラム回折格子膜から構成されている［Ａ０９］に記載の光学装置。
［Ａ１１］第２基板に面した偏向手段の面には保護膜が配されている［Ａ０９］又は［Ａ１０］に記載の光学装置。
［Ａ１２］吸湿部材と保護膜とは同じ材料から成る［Ａ１１］に記載の光学装置。
［Ａ１３］吸湿部材の厚さは保護膜の厚さよりも厚い［Ａ１２］に記載の光学装置。
［Ａ１４］偏向手段は、第１偏向手段及び第２偏向手段から構成されており、
第１偏向手段は、第１基板に入射された光が第１基板の内部で全反射されるように、第１基板に入射された光を偏向させ、
第２偏向手段は、第１基板の内部を全反射により伝播した光を第１基板から出射させるために、第１基板の内部を全反射により伝播した光を偏向させる［Ａ０１］に記載の光学装置。
［Ａ１５］吸湿部材は、第２基板の第１面に配置されている［Ａ１４］に記載の光学装置。
［Ａ１６］吸湿部材は、第２基板の第１面の全面に貼り合わされている［Ａ１５］に記載の光学装置。
［Ａ１７］吸湿部材は、第１基板の第１面の第１偏向手段及び第２偏向手段が配された領域以外の領域に配置されている［Ａ１４］乃至［Ａ１６］のいずれか１項に記載の光学装置。
［Ａ１８］吸湿部材は、第２基板の第１面の封止部材の内側に沿った領域、又は、第１基板の第１面の封止部材の内側に沿った領域、又は、第２基板の第１面の封止部材の内側に沿った領域及び第１基板の第１面の封止部材の内側に沿った領域に配置されている［Ａ１４］に記載の光学装置。
［Ａ１９］第１偏向手段を覆うように、第２基板の第２面の外側に遮光部材が配置されている［Ａ１４］に記載の光学装置。
［Ａ２０］第２基板への第１偏向手段の正射影像は、第２基板への遮光部材の正射影像に含まれる［Ａ１９］に記載の光学装置。
［Ａ２１］第２基板への遮光部材の正射影像内の領域であって、第２基板の第１面の領域、又は、第１基板の第１面の第１偏向手段が配された領域以外の領域、又は、第２基板の第１面の領域及び第１基板の第１面の第１偏向手段が配された領域以外の領域に、吸湿部材が配置されている［Ａ１９］又は［Ａ２０］に記載の光学装置。
［Ａ２２］第１偏向手段及び第２偏向手段の少なくとも一方は、吸水性を有する材料から成る［Ａ１４］乃至［Ａ２１］のいずれか１項に記載の光学装置。
［Ａ２３］第１偏向手段は、樹脂材料から成るホログラム回折格子膜から構成されており、
第２偏向手段は、樹脂材料から成るホログラム回折格子膜から構成されている［Ａ２２］に記載の光学装置。
［Ａ２４］第２基板に面した第１偏向手段の面及び第２偏向手段の面には保護膜が配されている［Ａ１４］乃至［Ａ２３］のいずれか１項に記載の光学装置。
［Ａ２５］吸湿部材と保護膜とは同じ材料から成る［Ａ２４］に記載の光学装置。
［Ａ２６］吸湿部材の厚さは保護膜の厚さよりも厚い［Ａ２５］に記載の光学装置。
［Ａ２７］吸湿部材の吸水率は、偏向手段を構成する材料の吸水率よりも高い［Ａ０１］乃至［Ａ２６］のいずれか１項に記載の光学装置。
［Ａ２８］吸湿部材は、ポリビニルアルコールから成る［Ａ０１］乃至［Ａ２７］のいずれか１項に記載の光学装置。
［Ａ２９］吸湿部材は、ナノポーラスシリカ、モレキュラシーブ、ゼオライト、活性炭、活性アルミナ、珪藻土、モンモリロナイト及びベントナイトから構成された群から選択された少なくとも１種類の材料から成る［Ａ０１］乃至［Ａ２７］のいずれか１項に記載の光学装置。
［Ａ３０］吸湿部材は、光透過率が５０％以上の樹脂製フィルムから成る［Ａ０１］乃至［Ａ２７］のいずれか１項に記載の光学装置。
［Ａ３１］第１基板及び第２基板は、透明基板から成る［Ａ０１］乃至［Ａ３０］のいずれか１項に記載の光学装置。
［Ａ３２］第２基板の第２面側に調光装置が配されている［Ａ０１］乃至［Ａ３１］のいずれか１項に記載の光学装置。
［Ｂ０１］光学装置は、画像形成装置から出射される光に基づき虚像が形成される虚像形成領域を有し、
光学装置の虚像形成領域は、調光装置と重なっており、
画像形成装置から出射される光に基づき、虚像形成領域の一部分において虚像が形成されるとき、調光装置への虚像の投影像が含まれる調光装置の虚像投影領域の遮光率が、調光装置の他の領域の遮光率よりも高くなるように、調光装置が制御される光学装置。
［Ｂ０２］調光装置の動作時、調光装置の他の領域の遮光率は、調光装置への虚像の投影像が含まれる調光装置の虚像投影領域の遮光率を「１」としたとき、０．９５以下である［Ｂ０１］に記載の光学装置。
［Ｂ０３］調光装置の動作時、調光装置の虚像投影領域の遮光率は、３５％乃至９９％である［Ｂ０１］又は［Ｂ０２］に記載の光学装置。
［Ｂ０４］画像形成装置から出射された光に基づき光学装置に虚像が形成される前に、調光装置の虚像投影領域の遮光率が増加される［Ｂ０１］乃至［Ｂ０３］のいずれか１項に記載の光学装置。
［Ｂ０５］画像形成装置から出射された光に基づき光学装置に一の虚像が形成され、次いで、一の虚像と異なる次の虚像が形成されるときであって、一の虚像に対応する調光装置の虚像投影領域の面積をＳ1、次の虚像に対応する調光装置の虚像投影領域の面積をＳ2としたとき、
Ｓ2／Ｓ1＜０．８、又は、１＜Ｓ2／Ｓ1の場合、次の虚像が形成される調光装置の虚像投影領域は、調光装置への次の虚像の投影像が含まれる調光装置の領域であり、
０．８≦Ｓ2／Ｓ1≦１の場合、次の虚像が形成される調光装置の虚像投影領域は、調光装置への一の虚像の投影像が含まれた調光装置の領域である［Ｂ０１］乃至［Ｂ０４］のいずれか１項に記載の光学装置。
［Ｂ０６］光学装置に形成される虚像に外接する仮想矩形を想定したとき、調光装置の虚像投影領域は、仮想矩形よりも大きい［Ｂ０１］乃至［Ｂ０５］のいずれか１項に記載の光学装置。
［Ｂ０７］光学装置に形成される虚像に外接する仮想矩形の横方向及び縦方向の長さをＬ1-T及びＬ1-Lとし、調光装置の虚像投影領域の形状を、横方向及び縦方向の長さがＬ2-T及びＬ2-Lの矩形形状としたとき、
１．０≦Ｌ2-T／Ｌ1-T≦１．５
１．０≦Ｌ2-L／Ｌ1-L≦１．５
を満足する［Ｂ０６］に記載の光学装置。
［Ｂ０８］調光装置は、
調光装置用第１基板、
調光装置用第１基板と対向する調光装置用第２基板、
調光装置用第２基板と対向する調光装置用第１基板の対向面に設けられた第１透明電極、
調光装置用第１基板と対向する調光装置用第２基板の対向面に設けられた第２透明電極、及び、
第１透明電極と第２透明電極とによって挟まれた調光層、
から成る［Ｂ０１］乃至［Ｂ０７］のいずれか１項に記載の光学装置。
［Ｂ０９］第１透明電極は、第１の方向に延びる複数の帯状の第１透明電極セグメントから構成されており、
第２透明電極は、第１の方向とは異なる第２の方向に延びる複数の帯状の第２透明電極セグメントから構成されており、
第１透明電極セグメントと第２透明電極セグメントの重複領域に対応する調光装置の部分の遮光率の制御は、第１透明電極セグメント及び第２透明電極セグメントに印加する電圧の制御に基づき行われる［Ｂ０８］に記載の光学装置。
［Ｂ１０］光学装置の置かれた環境の照度を測定する環境照度測定センサを更に備えており、
環境照度測定センサの測定結果に基づき、調光装置の遮光率を制御する［Ｂ０１］乃至［Ｂ０９］のいずれか１項に記載の光学装置。
［Ｂ１１］光学装置の置かれた環境の照度を測定する環境照度測定センサを更に備えており、
環境照度測定センサの測定結果に基づき、画像形成装置によって形成される画像の輝度を制御する［Ｂ０１］乃至［Ｂ１０］のいずれか１項に記載の光学装置。
［Ｂ１２］外部環境から調光装置を透過した光に基づく照度を測定する透過光照度測定センサを更に備えており、
透過光照度測定センサの測定結果に基づき、調光装置の遮光率を制御する［Ｂ０１］乃至［Ｂ１１］のいずれか１項に記載の光学装置。
［Ｂ１３］外部環境から調光装置を透過した光に基づく照度を測定する透過光照度測定センサを更に備えており、
透過光照度測定センサの測定結果に基づき、画像形成装置によって形成される画像の輝度を制御する［Ｂ０１］乃至［Ｂ１２］のいずれか１項に記載の光学装置。
［Ｂ１４］透過光照度測定センサは、光学装置よりも観察者側に配置されている［Ｂ１２］又は［Ｂ１３］に記載の光学装置。
［Ｂ１５］調光装置を通過する光は、調光装置によって所望の色に着色される［Ｂ０１］乃至［Ｂ１４］のいずれか１項に記載の光学装置。
［Ｂ１６］調光装置によって着色される色は可変である［Ｂ１５］に記載の光学装置。
［Ｂ１７］調光装置によって着色される色は固定である［Ｂ１５］に記載の光学装置。
［Ｃ０１］《画像表示装置》
（Ａ）画像形成装置、及び、
（Ｂ）画像形成装置から出射された光が入射され、出射される光学装置、
を備えた画像表示装置であって、
光学装置は、
第１面、及び、第１面と対向した第２面を有する第１基板、
第１面、及び、第１面と対向した第２面を有し、第１面が第１基板の第１面と対向して配設された第２基板、
第１基板の第１面に配された偏向手段、
第１基板の第１面の外縁部と第２基板の第１面の外縁部を封止する封止部材、並びに、
第１基板と第２基板と封止部材とによって囲まれた空間内に配置された吸湿部材、
を備えている画像表示装置。
［Ｄ０１］《表示装置》
（イ）観察者の頭部に装着されるフレーム、及び、
（ロ）フレームに取り付けられた画像表示装置、
を備えた表示装置であって、
画像表示装置は、
（Ａ）画像形成装置、及び、
（Ｂ）画像形成装置から出射された光が入射され、出射される光学装置、
を備えており、
光学装置は、
第１面、及び、第１面と対向した第２面を有する第１基板、
第１面、及び、第１面と対向した第２面を有し、第１面が第１基板の第１面と対向して配設された第２基板、
第１基板の第１面に配された偏向手段、
第１基板の第１面の外縁部と第２基板の第１面の外縁部を封止する封止部材、並びに、
第１基板と第２基板と封止部材とによって囲まれた空間内に配置された吸湿部材、
を備えている表示装置。
【符号の説明】
【０１７３】
１０・・・フレーム、１１・・・フロント部、１１’・・・フロント部の中央部分、１２・・・蝶番、１３・・・テンプル部、１４・・・モダン部、１５・・・配線（信号線や電源線等）、１６・・・ヘッドホン部、１６’・・・ヘッドホン部用配線、１７・・・撮像装置、１８・・・制御装置（制御回路、制御手段）、１８Ａ・・・画像情報記憶装置、１９・・・取付け部材、２０・・・観察者、２１・・・瞳、１００，２００，３００，４００，５００・・・画像表示装置、１１１，１１１Ａ，１１１Ｂ，２１１・・・画像形成装置、１１２・・・光学系（コリメート光学系）、１１３，２１３・・・筐体、１２０，３２０，５２０，５３０・・・光学装置、１２１，３２１・・・第１基板（導光板）、１２１Ａ，３２１Ａ・・・第１基板の第１面、１２１Ｂ，３２１Ｂ・・・第１基板の第２面、１２２，３２２・・・第２基板（保護部材）、１２２Ａ，３２２Ａ・・・第１基板の第１面、１２２Ｂ，３２２Ｂ・・・第１基板の第２面、１２３・・・第３基板、１２３Ａ・・・第３基板の第１面、１２３Ｂ・・・第３基板の第２面、１２４，１２５・・・封止部材、１３０，１３１・・・吸湿部材、１３２・・・保護膜、１４１，３４１・・・第１偏向手段（第１回折格子部材）、１４２，３４２・・・第２偏向手段（第２回折格子部材、虚像形成領域）、１４３・・・第３偏向手段、１５０・・・反射型空間光変調装置、１５１・・・液晶表示装置（ＬＣＤ）、１５２・・・偏光ビームスプリッター（ＰＢＳ）、１５３・・・光源、２５１・・・光源、２５２・・・コリメート光学系、２５３・・・走査手段、２５４・・・光学系（リレー光学系）、２５６・・・全反射ミラー、５２１・・・導光部材、５２２・・・半透過ミラー、５２３・・・偏向手段、５３１・・・虚像形成部材、５３３・・・偏向手段、６０１，６０２・・・遮光部材、７００・・・調光装置、７０１・・・調光装置用第１基板（第２基板が兼用）、７０２・・・第１透明電極、７０２Ａ・・・第１透明電極セグメント、７０３・・・調光装置用第２基板、７０４・・・第２透明電極、７０４Ａ・・・第２透明電極セグメント、７０５・・・調光層、７０５Ａ・・・ＷＯ3層、７０５Ｂ・・・Ｔａ2Ｏ5層、７０５Ｃ・・・ＩｒXＳｎ1-XＯ層、７０６・・・保護層、７０７・・・封止材、７０８・・・調光装置の遮光率が変化する最小単位領域、７２１・・・環境照度測定センサ、７２２・・・透過光照度測定センサ
【図１】
2017013971.tif 000003
【図２】
2017013971.tif 000004
【図３】
2017013971.tif 000005
【図４】
2017013971.tif 000006
【図５】
2017013971.tif 000007
【図６】
2017013971.tif 000008
【図７】
2017013971.tif 000009
【図８】
2017013971.tif 000010
【図９】
2017013971.tif 000011
【図１０】
2017013971.tif 000012
【図１１】
2017013971.tif 000013
【図１２】
2017013971.tif 000014
【図１３】
2017013971.tif 000015
【図１４】
2017013971.tif 000016
【図１５】
2017013971.tif 000017
【図１６】
2017013971.tif 000018
【図１７】
2017013971.tif 000019
【図１８】
2017013971.tif 000020
【図１９】
2017013971.tif 000021
【図２０】
2017013971.tif 000022
【図２１】
2017013971.tif 000023
【図２２】
2017013971.tif 000024
【図２３】
2017013971.tif 000025
【図２４】
2017013971.tif 000026
【図２５】
2017013971.tif 000027
【図２６】
2017013971.tif 000028
【図２７】
2017013971.tif 000029
【図２８】
2017013971.tif 000030
【図２９】
2017013971.tif 000031
【図３０】
2017013971.tif 000032
【図３１】
2017013971.tif 000033
【国際調査報告】
2017013971.tif 000034
2017013971.tif 000035
2017013971.tif 000036
2017013971.tif 000037